(57)【特許請求の範囲】
【請求項１】
複数の走査線と複数のデータ線との交差に対応して設けられた画素を駆動する電気光学装置の駆動回路であって、
画素の駆動の停止を指示する駆動停止信号を入力する入力手段と、
前記駆動停止信号が入力されない画素の駆動時には、走査線を１水平走査期間につき１本ずつ順次に選択して、選択した走査線に対して選択電圧を印加する一方、前記駆動停止信号が入力された場合には、１水平走査期間毎に、２以上の走査線の異なる組毎に順次選択電圧を印加する走査線駆動回路と、
前記走査線駆動回路によって前記２以上の走査線に選択電圧が印加される期間に、各データ線に非点灯電圧を印加するデータ線駆動回路と、
を具備し、
前記走査線駆動回路は、
入力した基準信号をクロック信号に応じたタイミングで、それぞれ順次ラッチする複数の転送回路であって、ラッチした基準信号により、対応する走査線を選択する期間を指定する複数の転送回路を含むシフトレジスタと、
前記駆動停止信号が入力されない画素の駆動時には、前記シフトレジスタのうち１の転送回路に対して、垂直走査期間の開始を指示する基準信号を入力する一方、前記駆動停止信号が入力された場合には、前記シフトレジスタのうち２以上の転送回路に対して、前記基準信号を入力する入力切替手段と、
を備えることを特徴とする電気光学装置の駆動回路。
【請求項２】
前記走査線駆動回路は、
前記シフトレジスタを複数個含み、
各シフトレジスタに含まれる転送回路は、前記複数の走査線が区分化されたいずれかのブロックに属する走査線にそれぞれ対応し、当該走査線を選択する期間をラッチした基準信号により指定する
ことを特徴とする請求項１に記載の電気光学装置の駆動回路。
【請求項３】
前記各シフトレジスタのうち一部のシフトレジスタに含まれる各転送回路は、奇数行の走査線に対応した転送回路であり、
前記各シフトレジスタのうち残りのシフトレジスタに含まれる各転送回路は、偶数行の走査線に対応した転送回路である
ことを特徴とする請求項２に記載の電気光学装置の駆動回路。
【請求項４】
前記走査線駆動回路は、
前記駆動停止信号が入力されない画素の駆動時には、前記複数の走査線の各々を１水平走査期間毎に順次に選択するとともに、選択した走査線に対して、それと隣接する走査線に当該垂直走査期間中に印加される選択電圧と逆極性の選択電圧を印加する一方、
前記駆動停止信号が入力された場合には、１水平走査期間毎に、奇数行あるいは偶数行のいずれか一方に属する２以上の走査線に選択電圧を印加する
ことを特徴とする請求項１乃至３のいずれかに記載の電気光学装置の駆動回路。
【請求項５】
請求項１乃至４のいずれかに記載の電気光学装置の駆動回路を有する
ことを特徴とする電気光学装置。
【請求項６】
請求項５に記載の電気光学装置を有することを特徴とする電子機器。
【発明の詳細な説明】
【技術分野】
【０００１】
この発明は、電気光学装置に関し、特に、画素の駆動の停止時に実行されるオフシーケンス処理に関する。
【背景技術】
【０００２】
電気光学装置の一形態としてマトリックス型の電気光学装置が知られている。この種の電気光学装置においては、複数の走査線と複数のデータ線とが互いに交差するように配置されており、走査線とデータ線との各交差に対応して画素がマトリックス状に配列されている。この構成のもと、画素の駆動時には、走査線が１本ずつ順次に選択され、選択された走査線と各データ線との交差に対応する画素に、点灯電圧や非点灯電圧などの階調に応じた電圧が印加されて画素が駆動される。ここで、点灯電圧とは、例えばノーマリーホワイトモードの電気光学装置であれば、画素を黒色表示させるための電圧である一方、非点灯電圧とは、画素を白色表示させるための電圧である。
【０００３】
ところで、画素の駆動を停止する場合に、画素に点灯電圧が印加されたままの状態で駆動を停止すると、直流電界成分あるいは直流電圧成分が画素に作用した状態が保持される。このように、直流電界成分や直流電圧成分が画素に作用したままの状態が続くと、画素を構成する電気光学物質などを劣化させることが知られている。これを防止するため、通常、画素の駆動を停止する場合には、全ての画素に対して非点灯電圧を印加するための処理（以降「オフシーケンス処理」と称する。）が実行される（例えば、特許文献１参照）。従来のオフシーケンス処理においては、画素の駆動時と同様に、走査線を順次に選択し、選択した走査線とデータ線との各交差に対応した画素に非点灯電圧を印加して、全ての画素に対して非点灯電圧を印加していた。
【特許文献１】特開平９−２６９４７６
【発明の開示】
【発明が解決しようとする課題】
【０００４】
しかしながら、上記オフシーケンス処理においては、例えば、１フレーム（１垂直走査期間）の周波数が６０Ｈｚの電気光学装置であれば、約１６．７ｍｓもの時間をオフシーケンス処理に要することになり、より速やかなオフシーケンス処理が望まれているのが現状であった。
【０００５】
本発明は、上述した事情に鑑みてなされたものであり、オフシーケンス処理に要する時間を短縮することが可能な電気光学装置、その駆動回路および電子機器を提供することを目的とする。
【課題を解決するための手段】
【０００６】
上記課題を解決するため、本発明に係る電気光学装置の駆動回路は、複数の走査線と複数のデータ線との交差に対応して設けられた画素を駆動する電気光学装置の駆動回路であって、画素の駆動の停止を指示する駆動停止信号を入力する入力手段と、前記駆動停止信号が入力されない画素の駆動時には、走査線を１水平走査期間につき１本ずつ順次に選択して、選択した走査線に対して選択電圧を印加する一方、前記駆動停止信号が入力された場合には、１水平走査期間毎に、２以上の走査線の異なる組毎に順次選択電圧を印加する走査線駆動回路と、前記走査線駆動回路によって前記２以上の走査線に選択電圧が印加される期間に、各データ線に非点灯電圧を印加するデータ線駆動回路と、を具備し、前記走査線駆動回路は、入力した基準信号をクロック信号に応じたタイミングで、それぞれ順次ラッチする複数の転送回路であって、ラッチした基準信号により、対応する走査線を選択する期間を指定する複数の転送回路を含むシフトレジスタと、前記駆動停止信号が入力されない画素の駆動時には、前記シフトレジスタのうち１の転送回路に対して、垂直走査期間の開始を指示する基準信号を入力する一方、前記駆動停止信号が入力された場合には、前記シフトレジスタのうち２以上の転送回路に対して、前記基準信号を入力する入力切替手段と、を備えることを特徴とする。
ここで、本発明において「非点灯電圧」とは、ある走査線が選択された期間に、データ線に印加されるデータ信号の電圧のうち、その期間において当該走査線に印加される選択電圧と同一極性の電圧をいう。
かかる駆動回路によれば、駆動停止信号が入力されると、２以上の走査線に対して選択電圧がされるため、全ての走査線を選択するにあたり、１本ずつ選択する従来のオフシーケンス処理と比較して、オフシーケンス処理に要する処理時間を短縮することができる。
【０００９】
また、別の好ましい態様において、前記走査線駆動回路は、前記シフトレジスタを複数個含み、各シフトレジスタに含まれる転送回路は、前記複数の走査線が区分化されたいずれかのブロックに属する走査線に対応し、当該走査線を選択する期間をラッチした基準信号により指定する。
【００１０】
ここで、前記各シフトレジスタのうち一部のシフトレジスタに含まれる各転送回路は、奇数行の走査線に対応した転送回路であり、前記各シフトレジスタのうち残りのシフトレジスタに含まれる各転送回路は、偶数行の走査線に対応した転送回路である。
【００１１】
別の好ましい態様において、前記走査線駆動回路は、前記駆動停止信号が入力されない画素の駆動時には、前記複数の走査線の各々を１水平走査期間毎に順次に選択するとともに、選択した走査線に対して、それと隣接する走査線に当該垂直走査期間中に印加される選択電圧と逆極性の選択電圧を印加する一方、前記駆動停止信号が入力された場合には、１水平走査期間毎に、奇数行あるいは偶数行のいずれか一方に属する２以上の走査線に選択電圧を印加する。
【００１２】
また、本発明は、上記電気光学装置の駆動回路を有することを特徴とする電気光学装置を提供し、さらに、当該電気光学装置を有することを特徴とする電子機器を提供する。
【発明の効果】
【００１４】
本発明によれば、オフシーケンス処理を速やかに実行することができる。
【発明を実施するための最良の形態】
【００１５】
以下、本発明の実施形態にかかる電気光学装置について図面を参照して説明する。以下の説明においては、本発明の一実施形態として、携帯電話機などの電子機器に表示部として搭載される電気光学装置について説明する。
【００１６】
＜全体構成＞
図１は、本発明の実施形態に係る電気光学装置の構成を示すブロック図である。この図に示されるように、電気光学装置１０は、制御回路２０、電圧生成回路３０および液晶パネル４０を含む。このうち、液晶パネル４０には、「２４０」本のデータ線（セグメント電極）ｓｅｇ１、ｓｅｇ２、…、ｓｅｇ２４０と、各データ線と交差する「３２０」本の走査線（コモン電極）ｃｏｍ１、ｃｏｍ２、…、ｃｏｍ３２０と、データ線駆動回路５０と、走査線駆動回路６０とが設けられている。以降、データ線ｓｅｇ１、ｓｅｇ２、…、ｓｅｇ２４０のうち特定のデータ線に限定することなく、一般的に示す場合にはその符号を「ｓｅｇ」と記す。同様に、走査線ｃｏｍ１、ｃｏｍ２、…、ｃｏｍ２４０を一般的に示す場合にはその符号を「ｃｏｍ」と記す。
【００１７】
図２は、液晶パネル４０のうちデータ線ｓｅｇおよび走査線ｃｏｍが交差する部分を示す斜視図である。この図に示すように、液晶パネル４０は、隙間を隔てて対向する素子基板４１０および対向基板４２０と、両基板４１０および４２０の隙間に介在する液晶４３０とを有する。液晶パネル４０は、液晶４３０からみて対向基板４２０側が観察側に相当する。データ線ｓｅｇは、素子基板４１０のうち対向基板４２０側の面において、列（Ｙ）方向に延在するように形成されている。隣接するデータ線ｓｅｇの間には、矩形状の画素電極４１２が、データ線ｓｅｇに沿って列をなすように形成されている。つまり、画素電極４１２は、液晶パネル４０においてマトリックス状に配置されている。ＴＦＤ（Thin Film Diode）４１４は、能動素子の一種であり、画素電極４１２とそれに隣接するデータ線ｓｅｇとの導通状態を切り替える。
【００１８】
走査線ｃｏｍは、光透過性を有する帯状の電極であり、対向基板４２０のうち素子基板４１０側の面に形成されている。図３は、液晶パネル４０における走査線ｃｏｍを、観察側からみた様子を示す図である。なお、図３においては、図面が煩雑になるのを防ぐため、データ線ｓｅｇやデータ線駆動回路５０などの図示は省略されている。図２および３に示すように、走査線ｃｏｍは、データ線ｓｅｇの延在方向と、交差する行方向（Ｘ方向）に延在するように形成されており、上述した画素電極４１２と部分的に対向している。各走査線ｃｏｍには、選択電圧および非選択電圧のいずれかが印加される。このうち、選択電圧は、データ線ｓｅｇに印加され得るデータ電圧（後述する＋ＶＤ／２から−ＶＤ／２までの範囲の電圧）に拘わらず、走査線ｃｏｍに対向する画素電極４１２に接続されたＴＦＤ４１４を導通状態にする電圧である。これとは逆に、非選択電圧は、データ線ｓｅｇに印加され得るデータ電圧に拘わらず、走査線ｃｏｍに対向する画素電極４１２に接続されたＴＦＤ４１４を非導通状態にする電圧である。
【００１９】
液晶パネル４０においては、走査線ｃｏｍと画素電極４１２との間の電位差を変化させて、それらの間に介在する液晶４３０に作用する電界を変化させることにより液晶を駆動する。ここで、液晶４３０に作用する電界は、走査線ｃｏｍと、マトリックス状に配列された画素電極４１２とが対向する部分ごとに変化させることが可能であり、その部分が表示の最小単位となる画素（図１中符号「４４０」）に相当する。
【００２０】
図３に示すように、素子基板４１０は、その板面が対向基板４２０の板面より一回り大きく、観察側からみれば、その端部（図３の例では図中左端と下端）が対向基板４２０からはみ出している。素子基板４１０のうち図３中左側にはみ出した部分には、走査線駆動回路６０と、走査線駆動回路６０から引き出された配線４０６とが形成されている。この配線４０６は、走査線駆動回路６０から出力された走査信号を走査線ｃｏｍに伝送するための配線であり、対向基板４２０の縁辺のうち図中左側の辺より、対向基板４２０のやや内側に至るように形成されている。素子基板４１０と対向基板４２０とは、対向基板４２０の縁辺の内側に沿って設けられたシール材（不図示）によって貼り合わされており、このシール材には、対向基板４２０に設けられた走査線ｃｏｍと、素子基板４１０に設けられた配線４０６とを１対１で導通させるための導通性粒子が混入されている。この構成により、対向基板４２０に設けられた各走査線ｃｏｍは、当該導通性粒子および配線を介して走査線駆動回路６０と接続される。
【００２１】
後述するように、画素４４０の駆動時には、１行目から３２０行目までの走査線ｃｏｍ１、ｃｏｍ２、…ｃｏｍ３２０が１本ずつ順次に選択されて垂直走査が行われる。これに対し、画素４４０の駆動を停止する場合には、その停止前に、１行目から３２０行目までの走査線ｃｏｍ１、ｃｏｍ２、…ｃｏｍ３２０が区分化された複数のブロックのそれぞれから、走査線ｃｏｍが１本ずつ選択されてオフシーケンス処理が実行される。ここで、オフシーケンス処理とは、上述したように電気光学物質（この例では液晶４３０）の駆動の停止前に、全ての画素４４０に対して非点灯電圧を印加するための処理である。本実施形態においては、画素４４０の駆動の停止時には、図３に示すように、１行目から８０行目までの走査線ｃｏｍ１、ｃｏｍ２、…、ｃｏｍ８０を含む第１ブロックＡと、８１行目から１６０行目までの走査線ｃｏｍ８１、ｃｏｍ８２、…、ｃｏｍ１６０を含む第２ブロックＢと、１６１行目から２４０行目までの走査線ｃｏｍ１６１、ｃｏｍ１６２、…、ｃｏｍ２４０を含む第３ブロックＣと、２４１行目から３２０行目までの走査線ｃｏｍ２４１、ｃｏｍ２４２、…、ｃｏｍ３２０を含む第４ブロックＤとの４つのブロックのそれぞれから１本ずつ走査線ｃｏｍ１、ｃｏｍ２、…、ｃｏｍ３２０を選択して、オフシーケンス処理を実行するものとする。
【００２２】
なお、図２では省略したが、液晶パネル４０には、液晶４３０の配向状態を規定するための配向膜と、偏光のための偏光板とが例えばノーマリーホワイトモードとなるように設けられている。また、本実施形態においては縦「３２０」行×横「２４０」列のマトリクス型の液晶パネル４０を想定するが、走査線ｃｏｍおよびデータ線ｓｅｇの総数はそれぞれ適宜変更することが可能である。
【００２３】
再び説明を図１に戻す。制御回路２０は、電気光学装置１０が搭載される電気機器の制御部（不図示、以下「上位制御部」と称する。）から供給される映像信号ＶＳや表示停止信号ＯＦＦに応じて、走査線駆動回路６０やデータ線駆動回路５０などの各部を制御する。このうち、映像信号ＶＳは、液晶パネル４０に表示させる画像の内容を示す信号であり、画素４４０毎の諧調を示す階調データＧＤを含む。
【００２４】
一方、表示停止信号ＯＦＦは、画素４４０の駆動を停止すべく、オフシーケンス処理の実行を指示する信号であり、図８に示すように、画素４４０の駆動中にその停止が指示されるとＬレベルからＨレベルに反転する。この表示停止信号ＯＦＦは、電子機器において、その表示部（電気光学装置１０）を駆動状態（表示状態）からスタンバイ状態に移行させる場合や、電子機器本体の電源をオフする場合などに、上位制御部から制御回路２０に供給される。制御回路２０は、上位制御部から供給される各種の信号に応じて、走査線駆動回路６０に対しては、液晶パネル４０を垂直走査するための各種制御信号やクロック信号などを供給する。また、制御回路２０は、データ線駆動回路５０に対しては、液晶パネル４０を水平走査するための各種制御信号や、各画素４４０の階調を３ビットにて示す階調データＧＤなどを供給する。なお、制御回路２０は、上位制御部から供給される表示停止信号ＯＦＦを、データ線駆動回路５０および走査線駆動回路６０のそれぞれに供給する。
【００２５】
走査線駆動回路６０は、制御回路２０の制御のもと、走査信号Ｙ１、Ｙ２、…、Ｙ３２０を、それぞれ１行目、２行目、…、３２０行目の走査線ｃｏｍ１、ｃｏｍ２、…、ｃｏｍ３２０に供給する。さらに詳述すると、走査線駆動回路６０は、画素４４０の駆動時には、１水平走査期間につき１本ずつ走査線ｃｏｍを選択して、選択した走査線ｃｏｍには選択電圧を、他の走査線ｃｏｍには非選択電圧をそれぞれ供給する。これに対し、画素４４０の駆動を停止する場合には、走査線駆動回路６０は、１水平走査期間につき複数（この例では４本）の走査線ｃｏｍを選択し、選択した各走査線ｃｏｍには選択電圧を、他の走査線ｃｏｍには非選択電圧をそれぞれ供給する。なお、走査線駆動回路６０による垂直走査期間は、画素４４０の駆動時とオフシーケンス時とにおいて異なるがこの点については後述する。
【００２６】
データ線駆動回路５０は、画素４４０の駆動時には、階調データＧＤに応じたデータ信号Ｘ１、Ｘ２、Ｘ３、…、Ｘ２４０を、それぞれ１列目、２列目、３列目、…、２４０列目のデータ線ｓｅｇを介して供給する。これにより、画素電極４１２、走査線ｃｏｍ、および、これらの間に介在する液晶４３０とからなる画素４４０に、選択電圧とデータ電圧との差に応じた電荷が蓄積される。この際、画素４４０に蓄積させる電荷量を段階的に変化させて、液晶４３０の配向状態を段階的に制御することにより、階調表示を実現することができる。なお、電荷の蓄積後、走査線ｃｏｍに非選択電圧を印加してＴＦＤ４１４をオフさせたとしても、一旦画素４４０に蓄積された電荷は保持される。
【００２７】
なお、画素４４０の駆動の停止時には、各走査線ｃｏｍには選択電圧が印加されないため、画素４４０の駆動の停止後には全てのＴＦＤ４１４がオフ状態となる。このため、画素４４０の駆動を停止する場合には、データ線駆動回路５０は、直流電界成分を低減すべく、全ての画素電極４１２に対し、画素４４０を白色にするためのデータ信号Ｘ１、Ｘ２、…、Ｘ２４０を、データ線ｓｅｇを介して供給する。
【００２８】
電圧生成回路３０は、画素４４０の駆動に用いられる電圧±ＶＳと電圧±ＶＤ／２とをそれぞれ生成する。このうち、電圧＋ＶＳおよび−ＶＳは、走査信号における選択電圧として用いられ、それぞれ走査線駆動回路６０に供給される。一方、電圧＋ＶＤ／２および−ＶＤ／２は、走査信号における非選択電圧と、データ信号におけるデータ電圧とで兼用される構成となっており、それぞれデータ線駆動回路５０および走査線駆動回路６０に供給される。
【００２９】
＜駆動法＞
本実施形態においては、４値駆動法（１／２Ｈセレクト、１Ｈ反転）により各画素４４０が駆動される。この駆動法は、大略すると、１水平走査期間を前半期間と後半期間とに２分割し、このうち例えば後半期間において１本の走査線ｃｏｍに選択電圧±ＶＳを印加するとともに、当該走査線ｃｏｍに位置する画素の表示内容に応じたデータ電圧±ＶＤ／２を、対応するデータ線ｓｅｇに印加する一方、その前半期間では、後半期間に印加されるであろう電圧の逆極性の電圧を当該データ線ｓｅｇに予め印加する、という駆動法である。
かかる４値駆動法によれば、データ電圧の実効値が、表示パターンに係わりなく、データ線ｓｅｇ同士にわたって一定になるので、いわゆるクロストークの発生を防止することができる。以下、この４値駆動法を実行するために必要となる構成や信号などについて説明する。
【００３０】
はじめに、制御回路２０によって生成される制御信号やクロック信号などの各種信号について説明する。
まず、垂直走査に用いられる信号について図４を参照して説明する。この図において、第１に、垂直同期信号ＤＹは、１垂直走査期間（１フレーム）の最初に出力されるパルスであり、走査線駆動回路６０に垂直走査期間の開始を指示する信号である。第２に、クロック信号ＹＣＫは、Ｙ側の基準信号であり、１水平走査期間（１Ｈ）の周期を有する。このクロック信号ＹＣＫは、前述した表示停止信号ＯＦＦがＨレベルに反転し、かつ、それ以降に初めて垂直同期信号ＤＹがＨレベルに反転してから８０周期（１Ｈ×８０）だけ立ち上がるが、それ以降はＬレベルを維持する。
【００３１】
第３に、極性指示信号ＦＲは、走査線ｃｏｍが選択されたときに印加すべき選択電圧の極性を指定する信号であり、例えば、Ｈレベルであれば正極性の選択電圧＋ＶＳを、Ｌレベルであれば負極性の選択電圧−ＶＳを、それぞれ指定する。この極性指示信号ＦＲは、同一の垂直走査期間内では、１水平走査期間（１Ｈ）毎に論理レベルが反転し、連続する２つの垂直走査期間においても、同一走査線ｃｏｍに対する水平走査期間の論理レベルが反転する関係となっている。第４に、制御信号ＩＮＨは、１水平走査期間（１Ｈ）における選択電圧の印加期間を規定するための信号である。後述するように、本実施形態では１水平走査期間（１Ｈ）の後半期間おいて選択電圧が印加されるので、制御信号ＩＮＨは、当該後半期間のみＨレベルとなる。
【００３２】
次に、水平走査に用いられる信号について、図５を参照して説明する。第１に、ラッチパルスＬＰは、１水平走査期間（１Ｈ）の最初に出力されるパルスである。第２に、リセット信号ＲＥＳは、１水平走査期間（１Ｈ）の前半期間の最初および後半期間の最初にそれぞれ出力されるパルスである。第３に、交流駆動信号ＭＸは、画素４４０が交流駆動されるようにデータ信号の極性を指示する信号である。この交流駆動信号ＭＸは、ひとつの垂直走査期間に着目すると、水平走査期間（１Ｈ）の半周期分だけ極性指示信号ＦＲ（図４参照）の位相を進めた信号に相当する。このため、交流駆動信号ＭＸは、選択電圧として正極性の電圧＋ＶＳが指定される水平走査期間（１Ｈ）では、その前半期間においてＨレベルとなり、その後半期間においてＬレベルとなる一方、選択電圧として負極性の電圧−ＶＳが指定される１水平走査期間（１Ｈ）では、その前半期間においてＬレベルとなり、その後半期間においてＨレベルとなる。
【００３３】
第４に階調コードパルスＧＣＰは、１水平走査期間の前半期間および後半期間の各々において、中間階調に応じた期間の位置でそれぞれＨレベルからＬレベルに反転するパルスである。さらに詳述すると、階調データＧＤが（０００）であれば白色に相当する階調が指示される一方、階調データＧＤが（１１１）であれば黒色に相当する階調が指示されるものとすると、階調コードパルスＧＣＰは、１水平走査期間の半分期間の各々において、白色および黒色を除く灰色の（１１０）、（１０１）、（１００）、（０１１）、（０１０）、（００１）の６個の階調データＧＤに対応したパルスが配列されている。なお、このような階調コードパルスＧＣＰは、画素４４０における電圧−透過率（濃度）の特性を考慮して、それぞれの立ち下りのタイミングが選定される。
【００３４】
次に、走査線駆動回路６０の構成について図６を参照して説明する。
この図に示すように走査線駆動回路６０は、スイッチ回路６０２、シフトレジスタ６０４、電圧選択信号生成回路６０６、レベルシフタ６０８およびセレクタ６０９を含む。
図７はスイッチ回路６０２およびシフトレジスタ６０４の構成を示す図である。この図に示すように、シフトレジスタ６０４は、走査線ｃｏｍの総数に応じた３２０ビットの桁数のレジスタ（転送回路）６０５を有するシフトレジスタである。シフトレジスタ６０４のうち第１桁、第８１桁、第１６１桁および第２４１桁のそれぞれのレジスタ６０５には入力端子が設けられている。これらの入力端子には、表示停止信号ＯＦＦに応じて、スイッチ回路６０２から垂直同期信号ＤＹが供給される。各レジスタ６０５は、自身に入力あるいはシフトされた垂直同期信号ＤＹを、クロック信号ＣＬＫの立ち上がりに応じたタイミングでそれぞれラッチする。
【００３５】
スイッチ回路６０２は、シフトレジスタ６０４のうち第８１桁、第１６１桁および第２４１桁の各入力端子と１対１に対応した３つのスイッチ６０３を含む。各スイッチ６０３には２つの入力端子が設けられており、一方の入力端子からは垂直同期信号ＤＹが入力され、他方の入力端子からは表示停止信号ＯＦＦが入力される。スイッチ６０３は、表示停止信号ＯＦＦがＨレベルにある場合にのみ、垂直同期信号ＤＹを、シフトレジスタ６０４の第８１桁、第１６１桁および第２４１桁の入力端子に入力する。この結果、表示停止信号ＯＦＦがＨレベルであれば、シフトレジスタ６０４には、全ての入力端子から垂直同期信号ＤＹが入力されるが、表示停止信号ＯＦＦがＬレベルであれば、第１桁の入力端子のみから垂直同期信号ＤＹが入力される。
【００３６】
シフトレジスタ６０４は、第１桁の入力端子のみから垂直走査信号ＤＹが入力される場合には、クロック信号ＹＣＫに従って、垂直走査信号ＤＹを１桁から３２０桁まで順次にシフトして、転送信号Ｙｓ１、Ｙｓ２、…、Ｙｓ３２０として順次出力する。ここで、転送信号Ｙｓ１、Ｙｓ２、…、Ｙｓ３２０は、１行目、２行目、…、３２０行目の走査線ｃｏｍ１、ｃｏｍ２、…、ｃｏｍ３２０にそれぞれ１対１に対応し、いずれかの転送信号がＨレベルになると、それに対応する走査線ｃｏｍを選択すべき水平走査期間（１Ｈ）であることを示す信号である。
【００３７】
また、シフトレジスタ６０４は、表示停止信号ＯＦＦがＨレベルに反転し、全ての入力端子から垂直走査信号ＤＹが入力される場合には、第１桁の入力端子から入力した垂直走査信号ＤＹを、クロック信号ＹＣＫに従って第１桁から第８０桁まで順次シフトし、転送信号Ｙｓ１、Ｙｓ２、…、Ｙｓ８０として順次出力し、第８１桁の入力端子から入力した垂直走査信号ＤＹを、クロック信号ＹＣＫに従って第８１桁から第１６０桁まで順次シフトし、転送信号Ｙｓ８１、Ｙｓ８２、…、Ｙｓ１６０として順次出力し、第１６１桁の入力端子から入力した垂直走査信号ＤＹをクロック信号ＹＣＫに従って第１６１桁から第２４０桁まで順次シフトし、転送信号Ｙｓ１６１、Ｙｓ１６２、…、Ｙｓ２４０として順次出力し、第２４１桁の入力端子から入力した垂直走査信号ＤＹをクロック信号ＹＣＫに従って第２４１桁から第３２０桁まで順次シフトし、転送信号Ｙｓ２４１、Ｙｓ２４２、…、Ｙｓ３２０として順次出力する。なお、クロック信号ＹＣＫは、前述したように、表示停止信号ＯＦＦがＬレベルからＨレベルに反転すると、その直後に垂直同期信号ＤＹが立ち上がってから、水平走査期間（１Ｈ）が８０周期だけ経過するまでは周期的に立ち上がるが、それ以降はＬレベルを維持する。
【００３８】
再び説明を図６に戻す。電圧選択信号生成回路６０６は、シフトレジスタ６０４により生成された転送信号Ｙｓ１、Ｙｓ２、…、Ｙｓ３２０の他、極性指示信号ＦＲ、制御信号ＩＮＨに応じて電圧選択信号を生成する。この電圧選択信号は、選択電圧±ＶＳおよび非選択電圧±ＶＤ／２の４値のうち、いずれの電圧が各走査線ｃｏｍに印加すべき電圧であるかを指示するための信号である。本実施形態においては、上述したように、選択電圧＋ＶＳまたは−ＶＳが印加される期間は、１水平走査期間（１Ｈ）の後半期間である。また、非選択電圧は、選択電圧＋ＶＳが印加された後では正側の＋ＶＤ／２であり、選択電圧−ＶＳが印加された後では負側の−ＶＤ／２であって、直前の選択電圧により一義的に定まっている。このため、電圧選択信号生成回路６０６は、走査信号の電圧レベルが次の関係になるように、各走査線ｃｏｍに対応する電圧選択信号を出力する。すなわち、転送信号Ｙｓ１、Ｙｓ２、…、Ｙｓ３２０のいずれかがＨレベルになって、それに対応する走査線ｃｏｍを選択すべき水平走査期間である旨が指定され、さらに、制御信号ＩＮＨがＨレベルとなって、当該水平走査期間の後半期間であることが通知されると、電圧選択信号生成回路６０６は、当該走査線ｃｏｍへの走査信号の電圧レベルを、第１に、極性指示信号ＦＲの信号レベルに対応した極性の選択電圧とし、第２に、その後半期間が終了すると、当該選択電圧に対応する非選択電圧となるように電圧選択信号を生成する。
【００３９】
レベルシフタ６０８は、電圧選択信号生成回路６０６によって生成された電圧選択信号の信号レベルを増幅する。セレクタ６０９は、電圧±ＶＳと電圧±ＶＤ／２の中から、増幅された電圧選択信号によって指示される電圧を選択して、対応する走査線ｃｏｍに印加する。
【００４０】
次に、以上説明した走査線駆動回路６０の各構成により生成される各種信号の電圧波形について説明する。
以下の説明では、まず、表示停止信号ＯＦＦがＬレベルである場合に、走査線駆動回路６０により生成される信号の電圧波形について説明し、その後、表示停止信号ＯＦＦがＨレベルである場合に、走査線駆動回路６０により生成される信号の電圧波形について説明する。上述したように、表示停止信号ＯＦＦは、Ｌレベルであれば画素４４０の駆動時（表示中）である旨を示し、Ｈレベルに反転すると、画素４４０の駆動を停止し、オフシーケンス処理の実行開始を指示する。
【００４１】
まず、表示停止信号ＯＦＦがＬレベルの場合、走査線駆動回路６０に含まれるシフトレジスタ６０４には、第１桁の入力端子から垂直同期信号ＤＹが入力される。図４に示すように、第１桁の入力端子に入力された垂直同期信号ＤＹは、クロック信号ＹＣＫにしたがって、１水平走査期間（１Ｈ）毎に第３２０桁まで順次シフトされて、これが転送信号Ｙｓ１、Ｙｓ２、…、Ｙｓ３２０としてシフトレジスタ６０４から出力される。
【００４２】
ここで、ある１行の走査線ｃｏｍに対応する転送信号がＨレベルになる１水平走査期間（１Ｈ）において、その後半期間（１／２Ｈ）に至ると、当該後半期間における極性指示信号ＦＲの論理レベルに応じて、当該走査線ｃｏｍへの選択電圧が定められる。詳細には、ある１行の走査線ｃｏｍに供給される走査信号の電圧は、当該走査線ｃｏｍが選択される１水平走査期間の後半期間（１／２Ｈ）において、極性指示信号ＦＲが例えばＨレベルであれば正極性選択電圧＋ＶＳとなり、その後、正極性非選択電圧＋ＶＤ／２を保持する。そして、１垂直走査期間が経過して、１水平走査期間の後半期間においては、極性指示信号ＦＲが反転してＬレベルになるので、当該走査線ｃｏｍに供給される走査信号の電圧は、負極性選択電圧−ＶＳとなり、その後、負極性非選択電圧−ＶＤ／２を保持することになる。
【００４３】
このため、第１行目の走査線ｃｏｍへの走査信号Ｙ１は、例えば図４に示されるように、転送信号Ｙｓ１がＨレベルとなる水平走査期間における極性指示信号ＦＲがＨレベルであれば、当該水平走査期間の後半期間において正極性選択電圧＋ＶＳとなり、その後、正極性非選択電圧＋ＶＤ／２を保持する。次の１水平走査期間の後半期間においては、極性指示信号ＦＲのレベルが前回の選択とは論理反転したＬレベルになるので、当該走査線ｃｏｍへの走査信号Ｙ１は、負極性選択電圧−ＶＳとなり、その後、負極性非選択電圧−ＶＤ／２を保持する。以下このサイクルの繰り返しとなる。
【００４４】
また、極性指示信号ＦＲは、１水平走査期間（１Ｈ）毎に論理レベルが反転するので、各走査線ｃｏｍに供給される走査信号は、１水平走査期間（１Ｈ）毎に、すなわち、走査線ｃｏｍの１行毎に交互に極性が反転する関係となる。例えばある垂直走査期間において、１行目の走査信号Ｙ１の選択電圧が正極性選択電圧＋ＶＳであれば、１水平走査期間経過後において、２行目の走査信号Ｙ２の選択電圧は負極性選択電圧−ＶＳとなる。
以上が、表示停止信号ＯＦＦがＬレベルの場合に、走査線駆動回路６０により生成される信号である。
【００４５】
続いて、表示停止信号ＯＦＦがＨレベルに反転した場合に、走査線駆動回路６０により生成される信号について説明する。
図７および図８に示すように、ある垂直走査期間（図中「第ｎ垂直走査期間」）において、表示停止信号ＯＦＦがＬレベルからＨレベルに反転したとする。このように表示停止信号ＯＦＦがＨレベルに反転すると、それ以降、垂直同期信号ＤＹは、シフトレジスタ６０４の第１桁、第８１桁、第１６１桁および２４１桁のレジスタの入力端子のそれぞれに入力される。一方、クロック信号ＹＣＫは、表示停止信号ＯＦＦがＨレベルに反転し、かつ、それ以降に初めて垂直同期信号ＤＹがＨレベルに反転してから８０周期（１Ｈ×８０）だけ立ち上がるが、それ以降はＬレベルを維持する。なお、本実施形態においては、第１ブロックＡ、第２ブロックＢ、第３ブロックＣおよび第４ブロックＤに属する走査線ｃｏｍの総数がそれぞれ「８０」本のため、クロック信号がＬレベルに固定されるまでの期間は８０周期であるが、この周期は、各ブロックＡ、Ｂ、ＣおよびＤに属する走査線ｃｏｍの総数の最大値に応じて決定される。
【００４６】
第１桁の入力端子に入力された垂直同期信号ＤＹは、クロック信号ＹＣＫに従って１水平走査期間（１Ｈ）毎に順次シフトされて、転送信号Ｙｓ１、Ｙｓ２、…、Ｙｓ８０として出力される。ここで、「ｎ」を、第１ブロックＡに属する走査線ｃｏｍの先頭の行に対応する「１」とすれば、図８における転送信号Ｙｓ（ｎ）、Ｙｓ（ｎ＋１）、…、Ｙｓ（ｎ＋７９）のそれぞれが、転送信号Ｙｓ１、Ｙｓ２、…、Ｙｓ８０を表す。
【００４７】
また、第８１桁の入力端子に入力された垂直同期信号ＤＹは、クロック信号ＹＣＫに従って１水平走査期間（１Ｈ）毎に順次シフトされて、転送信号Ｙｓ８１、Ｙｓ８２、…、Ｙｓ１６０として出力される。ここで、「ｎ」を第２ブロックＢに属する走査線ｃｏｍの先頭の行に対応する「８０」とすれば、図８における転送信号Ｙｓ（ｎ）、Ｙｓ（ｎ＋１）、…、Ｙｓ（ｎ＋７９）のそれぞれが、転送信号Ｙｓ８１、Ｙｓ８２、…、Ｙｓ１６０を表す。
【００４８】
同様に、第１６１桁の入力端子に入力された垂直同期信号ＤＹは、クロック信号ＹＣＫに従って１水平走査期間（１Ｈ）毎に順次シフトされて、転送信号Ｙｓ１６１、Ｙｓ１６２、…、Ｙｓ２４０として出力される。ここで、「ｎ」を、第３ブロックＣに属する走査線ｃｏｍの先頭の行に対応する「１６０」とすれば、図８における転送信号Ｙｓ（ｎ）、Ｙｓ（ｎ＋１）、…、Ｙｓ（ｎ＋７９）のそれぞれが、転送信号Ｙｓ１６１、Ｙｓ１６２、…、Ｙｓ２４０を表す。
【００４９】
そして、第２４１桁の入力端子に入力された垂直同期信号ＤＹは、クロック信号ＹＣＫに従って１水平走査期間（１Ｈ）毎に順次シフトされて、転送信号Ｙｓ２４１、Ｙｓ２４２、…、Ｙｓ３２０として出力される。ここで、「ｎ」を、第４ブロックＤに属する走査線ｃｏｍの先頭の行に対応する「２４０」とすれば、図８における転送信号Ｙｓ（ｎ）、Ｙｓ（ｎ＋１）、…、Ｙｓ（ｎ＋７９）のそれぞれが転送信号Ｙｓ２４１、Ｙｓ２４２…、Ｙｓ３２０を表す。
【００５０】
したがって、例えば、転送信号Ｙｓ（ｎ）がＨレベルとなる水平走査期間においては、図９に示されるように、第１ブロックＡに属する走査線ｃｏｍ１と、第２ブロックＢに属する走査線ｃｏｍ８１と、第３ブロックＣに属する走査線ｃｏｍ１６１と、第４ブロックＤに属する走査線ｃｏｍ２４１との４本の走査線ｃｏｍに並行して選択電圧を印加する旨が、当該転送信号Ｙｓ（ｎ）よって指示される。
【００５１】
つまり、転送信号Ｙｓ（ｎ）、Ｙｓ（ｎ＋１）、…、Ｙｓ（ｎ＋７９）は、第１ブロックＡにおける先頭の行（１行）を基準に数えた相対的な行数と、第２ブロックＢにおける先頭の行（８１行）を基準に数えた相対的な行数と、第３ブロックＣにおける先頭の行（１６１行）を基準に数えた相対的な行数と、第４ブロックＤにおける先頭の行（２４１行）を基準に数えた相対的な行数とが一致する合計４本の走査線ｃｏｍを、同一水平走査期間に並行して選択せよ、という旨を指示する。
【００５２】
前掲図に８おいて、走査信号Ｙ（ｎ）、Ｙ（ｎ＋１）、…、Ｙ（ｎ＋７９）のそれぞれは、転送信号Ｙｓ（ｎ）、Ｙｓ（ｎ＋１）、…、Ｙｓ（ｎ＋７９）のそれぞれに指定された選択期間に選択電圧となる信号であり、前掲図４に示す走査信号Ｙ１、Ｙ２、…、Ｙ３２０と同様に極性指示信号ＦＲなどにより規定される。
【００５３】
＜データ線駆動回路５０＞
次に、データ線駆動回路５０の詳細について説明する。図１０は、データ線駆動回路５０の構成を示すブロック図である。この図において、アドレス制御回路５２は、階調データＧＤの読み出しに用いる行アドレスを生成するものであり、当該行アドレスを、１垂直走査期間の最初に供給される垂直同期信号ＤＹによりリセットするとともに、各水平走査期間の最初に供給されるラッチパルスＬＰで歩進させる。
【００５４】
階調データＲＡＭ（Random Access Memory）５４は、縦３２０行×横２４０列の画素４４０に対応した記憶領域を有するデュアルポートＲＡＭである。さらに詳述すると、階調データＲＡＭ５４の書き込み側では、制御回路２０から供給される階調データＧＤが、当該各画素４４０に対応する番地に書き込まれる。一方、階調データＲＡＭ５４の読み出し側では、１水平走査期間ごとに、行アドレスで指定された番地の階調データＧＤが１行分（２４０画素４４０分）ごとに一括して読み出されるようになっている。
【００５５】
デコーダ５６は、階調データＲＡＭ５４から読み出された階調データＧＤと、制御回路２０から供給される交流駆動信号ＭＸと、リセット信号ＲＥＳと、階調制御信号ＧＣＰとに応じて、セレクタ５８に電圧選択信号を出力する。この電圧選択信号は、＋ＶＤ／２および−ＶＤ／２の２値のうち各データ線ｓｅｇに対して印加すべき電圧をセレクタ５８に指示するための信号である。本実施形態において、階調データＧＤは、８階調を示す３ビットのデータであるので、読み出された１行分（２４０画素分）の階調データＧＤのうちひとつに着目すると、デコーダ５６は、次のような電圧選択信号を生成する。
【００５６】
すなわち、デコーダ５６は、階調データＧＤが白色（０００）および黒色（１１１）以外の中間階調を指定するものであれば、第１に、１水平走査期間（１Ｈ）の前半期間の最初に供給されるリセット信号ＲＥＳの立ち上がりを契機として、交流駆動信号ＭＸのレベルとは反対側のレベルにリセットし、第２に、階調コードパルスＧＣＰのうち、当該階調データＧＤに対応するものの立ち下がりにて、交流駆動信号ＭＸと同一側のレベルにセットし、第３に、１水平走査期間の後半期間（１／２Ｈ）の最初に供給されるリセット信号ＲＥＳを無視し、第４に、階調コードパルスＧＣＰのうち、当該階調データＧＤに対応するものの立ち下がりにて、交流駆動信号ＭＸと同一側のレベルに再セットを指示する電圧選択信号を生成する。
ただし、デコーダ５６は、階調データＧＤが黒色を示す（１１１）であれば、１水平走査期間に渡り、交流駆動信号ＭＸのレベルを、データ信号のレベルとして指示する電圧選択信号を生成する。一方、階調データＧＤが白色を示す（０００）であれば、１水平走査期間に渡り、交流駆動信号ＭＸの反転レベルを、データ信号のレベルとして指示する電圧選択信号を生成する。
【００５７】
デコーダ５６は、以上のような電圧選択信号の生成を、読み出された２４０個の階調データＧＤの各々に対応して実行する。セレクタ５８は、デコーダ５６から出力される電圧選択信号に応じて電圧＋ＶＤ／２および−ＶＤ／２のいずれかを選択するとともに、選択した電圧を各データ線ｓｅｇに印加する。
【００５８】
以上により、データ線駆動回路５０により生成されるデータ信号Ｘｉ（ｉは、１≦ｉ≦２４０を満たす整数）の電圧波形は、前掲図５に示されるような波形となる。ただし、同図においては、デコーダ５６に入力される階調データＧＤの２進数表示と、それをデコードした結果たるデータ信号Ｘｉとの対応関係が示されている。まず、階調データＧＤが白色を示す（０００）の場合、データ信号Ｘｉは、リセット信号ＲＳが立ち上がる毎に、それ以降、次のリセット信号ＲＳが立ち上がるまで、交流駆動信号ＭＸと反転レベルに対応するデータ電圧となる。一方、階調データＧＤが白色（０００）および黒色（１１１）以外の場合、データ信号Ｘｉは、ひとつの水平走査期間に着目すると、各リセット信号ＲＥＳの立ち上がり時点から、階調データＧＤに対応する階調コードパルスＧＣＰの立ち下がりの時点に至るまでの期間において、交流駆動信号ＭＸの反転レベルに対応するデータ電圧がデータ線ｓｅｇに印加されるが、階調コードパルスＧＣＰの立ち下がりの時点から、次のリセット信号ＲＥＳが立ち上がるまでの期間において交流駆動信号ＭＸと同一レベルに対応するデータ電圧がデータ線ｓｅｇに印加される。また、階調データＧＤが黒色を示す（１１１）であれば、データ信号Ｘｉは、リセット信号ＲＳの立ち上がる毎に、それ以降、次のリセット信号ＲＳが立ち上がるまで、交流駆動信号ＭＸと同一レベルに対応するデータ電圧となる。
【００５９】
したがって、１水平走査期間において、前半期間におけるデータ信号Ｘｉと、後半期間におけるデータ信号Ｘｉとは論理レベルが反転したものとなり、データ信号Ｘｉが＋ＶＤ／２となる期間とおよび−ＶＤ／２となる期間とは、階調データＧＤにかかわらず相互に等しい時間長となる。なお、後述するオフシーケンス処理においては、階調データＧＤが（０００）である場合のデータ信号Ｘｉが全ての画素４４０（画素電極４１２）に供給される。
【００６０】
＜画素への印加電圧波形＞
次に、以上説明した走査信号Ｙｊ（ｊは、１≦ｊ≦３２０を満たす整数）およびデータ信号Ｘｉにより、画素４４０に実際に印加される電圧波形について図１１を参照して説明する。上述したように１本の走査線ｃｏｍに対応する走査信号Ｙｊは、１垂直走査期間毎に、正側のＶＳとなる期間と負側のＶＳとなる期間とが交互に繰り返される。一方、データ信号Ｘｉは、交流駆動信号ＭＸ、リセット信号ＲＥＳおよび階調コードパルスＧＣＰが同一であれば、階調データＧＤのみに応じて変化する。例えば、階調データＧＤとして黒色（１１１）、中間調（１００）、白色（０００）のいずれかが与えられた場合を想定すると、それぞれ同図（ａ）、同図（ｂ）、同図（ｃ）に示す通りとなる。
【００６１】
画素４４０に印加される電圧波形は、走査信号Ｙｊからデータ信号Ｘｉを差し引いたものとなるから、階調データＧＤが黒色（１１１）、中間調（１００）、白色（０００）の場合には、それぞれ同図（ｄ）、同図（ｅ）、同図（ｆ）に示す通りとなる。このうち、電圧波形（ｄ）における電圧「｜ＶＳ＋ＶＤ／２｜」が、画素４４０に黒色表示をさせるための「点灯電圧」に相当する一方、電圧波形（ｆ）における電圧「｜ＶＳ−ＶＤ／２｜」が、画素４４０に白色表示をさせるためのの「非点灯電圧」に相当する。なお、電圧波形（ｆ）に示すように、階調データＧＤが白色（０００）の場合であっても、画素４４０には、選択期間中に電圧「｜ＶＳ−ＶＤ／２｜」が印加されるが、この電圧により液晶４３０に作用する電界は、液晶４３０の駆動に必要とされる閾値に達しない範囲にある。
【００６２】
＜オフシーケンス処理＞
次に、表示停止信号ＯＦＦがＨレベルに反転した場合に実行されるオフシーケンス処理について前掲図８および図１１を参照して説明する。
上述したように、ある垂直走査期間（図８中「第ｎ垂直走査期間」）において、表示停止信号ＯＦＦがＬレベルからＨレベルに立ち上がると、クロック信号ＹＣＫは、垂直同期信号ＤＹが立ち上がった時点以降において８０周期分だけ立ち上がる。一方、シフトレジスタ６０４から出力される転送信号Ｙｓ１、Ｙｓ２、…、Ｙｓ３２０のうち、第１ブロックＡ、第２ブロックＢ、第３ブロックＣおよび第４ブロックＤに属する各走査線ｃｏｍに対応する計４つの転送信号は、ひとつの水平走査期間において並列して立ち上がる。
【００６３】
これにより、第１ブロックＡと、第２ブロックＢと、第３ブロックＣと、第４ブロックＤとのそれぞれに属する合計４本の走査線ｃｏｍには、１つの水平走査期間（１Ｈ）に、選択電圧が並列して印加される。さらに詳述すると、第１ブロックＡに属する第１行から第８０行目の走査線ｃｏｍには、１水平走査期間ごとに順次に選択電圧が印加され、これと並行して、第２ブロックＢに属する第８１行から第１６０行目の走査線ｃｏｍに順次に選択電圧が印加され、第３ブロックＣに属する１６１行目から２４０行目の走査線ｃｏｍに順次に選択電圧が印加され、第４ブロックＤに属する２４１行目から３２０行目の走査線ｃｏｍに順次に選択電圧が印加される。したがって、あるひとつの水平走査期間に着目すると、選択電圧が印加される４本の走査線ｃｏｍ群は奇数行および偶数行のいずれか一方の走査線ｃｏｍ群である。このため、４本の走査線ｃｏｍに並行して印加される選択電圧は同極性となる。
【００６４】
一方、データ線駆動回路５０は、オフシーケンス期間に渡って、全てのデータ線ｓｅｇに対して、白色（０００）の階調データＧＤに対応したデータ信号を供給する。具体的には、データ線駆動回路５０は、走査信号として正側の選択電圧ＶＳが印加される期間には、データ信号として正側のデータ電圧「ＶＤ／２」をデータ線ｓｅｇに印加し、走査信号として負側の選択電圧「−ＶＳ」が印加される期間には、データ信号として負側のデータ電圧「−ＶＤ／２」をデータ線ｓｅｇに印加する。つまり、選択期間において、データ線ｓｅｇには、選択電圧と同極性のデータ電圧が印加される。これにより、全ての画素４４０に対し、図１１（ｆ）に示すような電圧波形が印加される。
【００６５】
ここで、１水平走査期間（１Ｈ）に着目すると、上述したように、４つのブロックＡ、Ｂ、ＣおよびＤに属する計４本の走査線ｃｏｍに印加される選択電圧は同一の極性となる。また、選択電圧が正極性の場合には、全てのデータ線ｓｅｇに正極性のデータ電圧「＋ＶＤ／２」が印加される一方、選択電圧が負極性の場合には、全てのデータ線ｓｅｇに負極性のデータ電圧「−ＶＤ／２」が印加される。このため、選択電圧が正極側および負極側のいずれであっても、１回の水平走査期間につき、階調データＧＤが白色（０００）に対応した非点灯電圧「｜ＶＳ−ＶＤ／２｜」が４行の全ての画素４４０に印加され、画素４４０の駆動時（表示時）に画素電極４１２に蓄積された電荷の一部が画素４４０から除去される。
【００６６】
このように、本実施形態によれば、１水平走査期間ごとに４本の走査線ｃｏｍを一括して選択してオフシーケンス処理を行う。これにより、走査線ｃｏｍを１本ずつ選択して画素４４０から電荷を除去する従来技術と比較して、オフシーケンス時に要する時間を１／４に抑えることができ、より速やかにオフシーケンス処理を実行することが可能となる。
【００６７】
ところで、４値駆動法により電気光学物質（液晶３４０）を駆動する場合には、ひとつの垂直走査期間において、奇数行目の走査線ｃｏｍと偶数行目の走査線ｃｏｍとに逆極性の選択電圧が印加される。一方、オフシーケンス処理においては、複数の走査線ｃｏｍを同一水平走査期間において選択するため、仮に奇数行目の走査線ｃｏｍと偶数行目の走査線ｃｏｍとを同一水平走査期間において選択したとすると、偶数行および奇数行の両方の走査線ｃｏｍに接続された全ての画素４４０に対して、白色表示をさせるための非点灯電圧を印加することができない。
【００６８】
例えば、奇数行目の走査線ｃｏｍに正極側の選択電圧「＋ＶＳ」が印加される一方で、偶数行目の走査線ｃｏｍに負極側の選択電圧−ＶＳが印加される場合に、データ信号として正極側のデータ電圧「＋ＶＤ／２」を印加すると、奇数行目の走査線ｃｏｍと接続された画素４４０には白色表示のための非点灯電圧「ＶＳ−ＶＤ／２」が印加されるが、偶数行目の走査線ｃｏｍと接続された画素４４０には黒色表示のための点灯電圧「ＶＳ＋ＶＤ／２」が印加されてしまう。逆に、データ信号として負極側のデータ電圧「−ＶＤ／２」を印加すると、偶数行目の走査線ｃｏｍと接続された画素４４０には非点灯電圧「ＶＳ−ＶＤ／２」が印加されるが、奇数行目の走査線ｃｏｍと接続された画素４４０には点灯電圧「ＶＳ＋ＶＤ／２」が印加されてしまう。このように、奇数行の走査線ｃｏｍと偶数行の走査線ｃｏｍとの両方を選択すると、少なくとも一部の画素４４０に点灯電圧が印加されてしまう。したがって、選択された走査線ｃｏｍに対応する全ての画素４４０に対して一括して非点灯電圧を印加することができない。
【００６９】
これに対し、本実施形態においては、各ブロックに属する走査線ｃｏｍを選択する場合に、偶数行の走査線ｃｏｍと、奇数行の走査線ｃｏｍとのいずれか一方から、複数の走査線ｃｏｍを選択する。したがって、複数の走査線ｃｏｍに並行して印加される選択電圧は同極性となり、選択された走査線ｃｏｍと接続された全ての画素４４０から、一括して電荷を除去することができる。つまり、上記構成によれば、４値駆動法で用いられる構成を有効に用いてオフシーケンス処理を実行することができ、オフシーケンス処理を行うための構成を簡略化することができる、という効果を奏するのである。
【００７０】
なお、本実施形態においては、オフシーケンス処理において、１水平走査期間毎に４本の走査線ｃｏｍを並列して選択したが、並列して選択する走査線ｃｏｍの本数は、任意であり、走査線ｃｏｍの全てを選択しても良い。ここで、一括して選択する走査線ｃｏｍの本数が多い場合には、オフシーケンス処理の短時間化の点で有利である。一方、一括して選択する本数が少ない場合には、オフシーケンス処理時に必要とされる単位時間当たりの電圧の消費量を低減することが可能である。
【００７１】
＜第２実施形態＞
上述した第１実施形態では、垂直走査を単一の走査線駆動回路６０により行う電気光学装置１０について説明した。これに対し、第２実施形態においては、複数の走査線駆動回路により垂直走査を行う電気光学装置について説明する。以下の説明では、第２実施形態にかかる電気光学装置の構成のうち上記電気光学装置１０と共通する構成には、同一の符号を用いて説明する。
【００７２】
図１２は、走査線ｃｏｍ、第１走査線駆動回路および第２走査線駆動回路の液晶パネル４０における配置を示す図である。この図に示すように、素子基板４１０上には第１走査線駆動回路６２ａおよび第２走査線駆動回路６２ｂが、走査線ｃｏｍの延在方向（Ｘ方向）について略対称となるように設けられている。全ての走査線ｃｏｍのうち奇数行目の走査線ｃｏｍ１、ｃｏｍ３、…、ｃｏｍ（２ｍ―１）、…、ｃｏｍ３１９は第１走査線駆動回路６２ａと接続されている一方、偶数行目の走査線ｃｏｍ２、ｃｏｍ４、…、ｃｏｍ（２ｍ）、…、ｃｏｍ３２０は、第２走査線駆動回路６２ｂと接続されている。ここで、「ｍ」は、「１≦ｍ≦１６０」を満たす整数である。
【００７３】
第１走査線駆動回路６２ａは、奇数行目の走査線ｃｏｍ（２ｍ−１）に対して走査信号Ｙ（２ｍ−１）を供給し、第２走査線駆動回路６２ｂは、偶数行目の走査線ｃｏｍ（２ｍ）に対して走査信号Ｙ（２ｍ）を供給する。このように、２つの走査線駆動回路６２ａおよび６２ｂを用いることにより、走査線駆動回路や、走査信号を伝送するための配線をＸ方向について略対称に配置することができる。なお、この実施形態にかかる電気光学装置１０のうち第１走査線駆動回路６２ａおよび第２走査線駆動回路６２ｂ以外の構成については、上述した第１実施形態における電気光学装置１０と同様であるため、その説明については省略する。
【００７４】
図１３は、第１走査線駆動回路６２ａの構成を示す図である。この第１走査線駆動回路６２ａは、奇数行目の走査線ｃｏｍ１、ｃｏｍ３、…、ｃｏｍ（２ｍ−１）、…、ｃｏｍ３１９のそれぞれに対して、走査信号Ｙ１、Ｙ３、…、Ｙ（２ｍ−１）、…、Ｙ３１９を供給する回路である。第１走査線駆動回路６２ａは、上述した走査線駆動回路６０と同様にシフトレジスタ６２２ａ、電圧選択信号生成回路６２４ａ、レベルシフタ６２６ａおよびセレクタ６２８ａを含むが、このうちシフトレジスタ６２２ａが第１実施形態に係るシフトレジスタの構成と異なる。
【００７５】
シフトレジスタ６２２ａは、奇数行目の走査線ｃｏｍ１、ｃｏｍ３、…、ｃｏｍ（２ｍ−１）、…、ｃｏｍ３１９に１対１に対応した転送信号Ｙｓ１、Ｙｓ３、…Ｙｓ（２ｍ―１）、…、Ｙｓ３１９を生成する。図１４は、シフトレジスタ６２２ａの構成を示す図である。この図に示すようにシフトレジスタ６２２ａは、走査線ｃｏｍの総数に対応した３２０ビットの桁数のレジスタ（転送回路）６２３を有するシフトレジスタである。各レジスタ６２３は、入力された垂直同期信号ＤＹをクロック信号ＹＣＫの立ち上がりタイミングで順次にラッチする。上述したように垂直同期信号ＤＹは、垂直走査の開始を指示する信号である。
【００７６】
また、シフトレジスタ６２２ａは、３種類のスイッチＳ２１、Ｓ２２およびＳ２３を含む。各スイッチＳ２１、Ｓ２２およびＳ２３は、表示停止信号ＯＦＦがＬレベルであれば図中実線で示すような状態となり、表示停止信号ＯＦＦがＨレベルであれば図中破線で示す状態となる。なお、特に図示しないが、シフトレジスタ６２２ａの全てのレジスタ６２３にはクロック信号ＹＣＫが供給される。
【００７７】
まず、スイッチＳ２１は、表示停止信号ＯＦＦがＬレベルであれば、制御回路２０から出力された垂直同期信号ＤＹをシフトレジスタ６２２ａのうち第１桁のレジスタ６２３に伝送する。一方、表示停止信号ＯＦＦがＨレベルであれば、スイッチＳ２１は、同垂直同期信号ＤＹを、第１桁、第３桁、第５桁および第７桁のレジスタ６２３のそれぞれに伝送する。
【００７８】
シフトレジスタ６２２ａのうち各奇数桁にシフトされた垂直同期信号ＤＹは、それより１桁だけ下位の偶数桁にシフトされる。スイッチＳ２２は、この偶数桁からシフトされる垂直同期信号ＤＹを、表示停止信号ＯＦＦがＬレベルである場合にのみ、当該偶数桁より１桁だけ下位の奇数桁に伝送する。
【００７９】
一方、スイッチＳ２３は、表示停止信号ＯＦＦがＬレベルであれば、第８ｐ桁からシフトされた垂直同期信号ＤＹを、当該第８ｐ桁より１桁だけ下位の第（８ｐ＋１）桁に伝送する。これに対し、表示停止信号ＯＦＦがＨレベルであれば、スイッチＳ２３は、第８ｐ桁からシフトされた垂直同期信号ＤＹを、第（８ｐ＋１）桁、第（８ｐ＋２）桁、第（８ｐ＋３）桁および第（８ｐ＋４）桁のそれぞれに並列して伝送する。ここで、「ｐ」は、「１≦ｐ≦３９」を満たす整数である。
【００８０】
シフトレジスタ６２２ａにおいては、クロック信号ＹＣＫに従って、各桁に垂直同期信号ＤＹが順次にシフトされる。シフトレジスタ６２２ａのうち奇数桁にシフトされた垂直同期信号ＤＹは、転送信号Ｙ１、Ｙ３、…、Ｙ（２ｍ−１）、…、Ｙ３１９として出力される。
【００８１】
以上説明したスイッチＳ２１、Ｓ２２およびＳ２３の動作により、第１走査線駆動回路６２ａは、表示停止信号ＯＦＦの論理レベルに応じて、以下のような走査信号Ｙ（２ｍ−１）を、奇数行目の走査線ｃｏｍ（２ｍ−１）に対して供給する。
まず、表示停止信号ＯＦＦがＬレベルの場合、上述したようにスイッチＳ２１、Ｓ２２およびＳ２３は図１４中実線で示す状態となる。この結果、シフトレジスタ６２２ａは、図１５に示すように、直列に接続された３２０桁のシフトレジスタのうち奇数桁にシフトされた垂直同期信号ＤＹを、転送信号Ｙｓ１、Ｙｓ３、…、Ｙｓ（２ｍ―１）、…、Ｙｓ３１９として出力する回路と等価になる。図１６に示すように、各転送信号Ｙｓ１、Ｙｓ３、…、Ｙｓ３１９は、垂直同期信号ＤＹがＨレベルになった時点から、クロック信号ＹＣＫが奇数回目に立ち上がる度に順次Ｈレベルとなることにより、対応する奇数行目の走査線ｃｏｍ（２ｍ−１）を選択する期間を指示する。
【００８２】
これにより、第１走査線駆動回路６２ａから出力される走査信号Ｙ１、Ｙ３、…、Ｙ３１９は、図１６に示す通りとなる。具体的には、走査信号Ｙ１、Ｙ３、…、Ｙ３１９は、対応する転送信号Ｙｓ１、Ｙｓ３、…、Ｙｓ３１９がＨレベルとなる１水平走査期間（１Ｈ）のうち後半期間（１／２）に選択電圧となる。なお、１垂直走査期間に着目すれば、走査信号Ｙ１、Ｙ２、…、Ｙ３１９の選択電圧の極性は互いに等しくなる。
【００８３】
次に、表示停止信号ＯＦＦがＬレベルからＨレベルに反転した場合における走査信号Ｙ１、Ｙ３、…、Ｙ３１９について説明する。
上述したように、表示停止信号ＯＦＦがＨレベルに反転すると、スイッチＳ２１、Ｓ２２およびＳ２３は図１４中破線で示す状態となる。この結果、シフトレジスタ６２２ａは、図１７に示すように、垂直同期信号ＤＹを独立してシフトする４つのシフトレジスタ群６２２２ａ、６２２４ａ、６２２６ａおよび６２２８ａを含む回路と等価になる。この構成において、シフトレジスタ群６２２２ａに属する第１桁と、シフトレジスタ群６２２４ａに属する第３桁と、シフトレジスタ群６２２６ａに属する第５桁と、シフトレジスタ群６２２８ａに属する第７桁とのそれぞれに、制御回路２０から出力された垂直同期信号ＤＹが並列して供給される。
【００８４】
このうち、シフトレジスタ群６２２２ａに供給された垂直同期信号ＤＹは、第１桁、第８桁、第９桁、第１６桁、…、第８ｐ桁、第（８ｐ＋１）桁、…、第３１２桁、第３１３桁に、この順でクロック信号ＹＣＫに従ってシフトされる。ただし、「ｐ」は、「０≦ｐ≦３９」を満たす整数である。シフトレジスタ群６２２２ａのうち「８ｐ＋１」桁にシフトされた垂直同期信号ＤＹは、転送信号Ｙｓ１、Ｙｓ９、…、Ｙｓ（８ｐ＋１）、…、Ｙｓ３１３として、シフトレジスタ６２２ａから出力される。
【００８５】
また、シフトレジスタ群６２２４ａに供給された垂直同期信号ＤＹは、第３桁、第８桁、…、第８ｐ桁、第（８ｐ＋３）桁、…、第３１２桁、第３１５桁にこの順でシフトされる。このうち「８ｐ＋３」桁にシフトされた垂直同期信号ＤＹは、転送信号Ｙｓ３、Ｙｓ１１、…、Ｙｓ（８ｐ＋３）、…、Ｙｓ３１５としてシフトレジスタ６２２ａから出力される。
【００８６】
同様に、シフトレジスタ群６２２６ａに供給された垂直同期信号ＤＹは、第５桁、第１３桁、…、第８ｐ桁、第（８ｐ＋５）桁、…、第３１２桁、第３１７桁にこの順でシフトされる。このうち「８ｐ＋５」桁にシフトされた垂直同期信号ＤＹは、転送信号Ｙｓ５、Ｙｓ１３、…、Ｙｓ（８ｐ＋５）、…Ｙｓ３１７としてシフトレジスタ６２２ａから出力される。
【００８７】
そして、シフトレジスタ群６２２８ａに供給された垂直同期信号ＤＹは、第７桁、第１５桁、…、第８ｐ桁、第（８ｐ＋７）桁、…、第３１２桁、第３１９桁にこの順でシフトされる。このうち「８ｐ＋７」桁にシフトされた垂直同期信号ＤＹは、転送信号Ｙｓ７、Ｙｓ１５、…、Ｙｓ（８ｐ＋７）、…Ｙｓ３１９としてシフトレジスタ６２２ａから出力される。
【００８８】
ここで、各シフトレジスタ群６２２２ａ、６２２４ａ、６２２６ａおよび６２２８ａに対して、動作の契機を与える垂直同期信号ＤＹ、および、シフトの周期を与えるクロック信号ＹＣＫはそれぞれ共通である。したがって、シフトレジスタ群６２２２ａから出力される転送信号Ｙｓ（８ｐ＋１）と、シフトレジスタ群６２２４ａから出力される転送信号Ｙｓ（８ｐ＋３）と、シフトレジスタ群６２２６ａから出力される転送信号Ｙｓ（８ｐ＋５）と、シフトレジスタ群６２２８ａから出力される転送信号Ｙｓ（８ｐ＋７）とは、図１８に示すように、それぞれ同一の水平走査期間（１Ｈ）においてＨレベルとなる。つまり、転送信号Ｙｓ（８ｐ＋１）、Ｙｓ（８ｐ＋３）、Ｙｓ（８ｐ＋５）およびＹｓ（８ｐ＋７）は、それぞれに対応した４本の走査線ｃｏｍ（８ｐ＋１）、ｃｏｍ（８ｐ＋３）、ｃｏｍ（８ｐ＋５）およびｃｏｍ（８ｐ＋７）を、１水平走査期間（１Ｈ）において並行して選択する旨を指示する。
【００８９】
これにより、表示停止信号ＯＦＦがＨレベルに反転して、オフシーケンス期間となった場合の走査信号Ｙ１、Ｙ３、…、Ｙ３１９は、図１８に示す通りとなる。具体的には、走査信号Ｙ１、Ｙ３、…、Ｙ３１９のうち、走査信号Ｙ（８ｐ＋１）、Ｙ（８ｐ＋３）、Ｙ（８ｐ＋５）およびＹ（８ｐ＋７）の組は、それぞれ同一の水平走査期間（１Ｈ）の後半期間（１／２）において、同極性の選択電圧となる。
【００９０】
次に、第２走査線駆動回路６２ｂについて説明する。上述したように第２走査線駆動回路６２ｂは、偶数行目の走査線ｃｏｍ２、ｃｏｍ４、…、ｃｏｍ（２ｍ）、…、ｃｏｍ３２０のそれぞれに、走査信号Ｙ２、Ｙ４、…、Ｙ（２ｍ）、…、Ｙ３２０を供給する。第２走査線駆動回路６２ｂの構成は、前掲図１３に示す第１走査線駆動回路６２ａの構成と略同様であるが、シフトレジスタの構成が第１走査線駆動回路６２ａのそれと異なる。上述したシフトレジスタ６２２ａは、奇数行目の走査線ｃｏｍ（２ｍ―１）に対応した転送信号Ｙｓ（２ｍ−１）を生成したが、第２走査線駆動回路６２ｂに含まれるシフトレジスタは、偶数行目の走査線ｃｏｍ２（２ｍ）に対応した転送信号Ｙｓ（２ｍ）を生成する。
【００９１】
図１９は、第２走査線駆動回路６２ｂに含まれるシフトレジスタの構成を示す図である。図１９に示されるように、シフトレジスタ６２２ｂは、走査線ｃｏｍの総数に対応した３２０ビットの桁数を有するシフトレジスタであり、２種類のスイッチＳ２４およびＳ２５を含む。各スイッチＳ２４およびＳ２５は、表示停止信号ＯＦＦがＬレベルであれば図中実線で示すような状態となり、表示停止信号ＯＦＦがＨレベルであれば図中破線で示す状態となる。なお、特に図示しないが、シフトレジスタ６２２ｂの全ての桁にはクロック信号ＹＣＫが供給される。また、シフトレジスタ６２２ｂの第１桁には、制御回路２０から出力された垂直同期信号ＤＹが入力される。
【００９２】
まず、スイッチＳ２４は、表示停止信号ＯＦＦがＨレベルであれば、シフトレジスタ６２２ｂのうち第１桁および第（８ｐ＋１）桁からシフトされた垂直同期信号ＤＹを、当該桁より１桁だけ下位の第２桁あるいは第（８ｐ＋２）桁に伝送する。これに対し、表示停止信号ＯＦＦがＨレベルであれば、スイッチＳ２４は、第１桁および第（８ｐ＋１）桁からシフトされた垂直同期信号ＤＹを、それらより１桁だけ下位の第２桁あるいは第（８ｐ＋２）桁と、３桁だけ下位の第４桁あるいは第（８ｐ＋４）桁と、５桁だけ下位の第６桁あるいは第（８ｐ＋６）桁と、６桁だけ下位の第８桁あるいは第（８ｐ＋８）桁のそれぞれに並列して伝送する。なお、「ｐ」は、「１≦ｐ≦３９」を満たす整数である。
【００９３】
シフトレジスタ６２２ｂのうち、第３２０桁を除く各偶数桁にシフトされた垂直同期信号ＤＹは、それより１桁だけ下位の奇数桁にシフトされる。スイッチＳ２５は、この奇数桁からシフトされる垂直同期信号ＤＹを、表示停止信号ＯＦＦがＬレベルである場合にのみ、当該奇数桁より１桁だけ下位の偶数桁に伝送する。
【００９４】
シフトレジスタ６２２ｂにおいては、クロック信号ＹＣＫに従って、各桁に垂直同期信号ＤＹが順次にシフトされる。シフトレジスタ６２２ｂのうち偶数桁にシフトされた垂直同期信号ＤＹは、転送信号Ｙ２、Ｙ４、…、Ｙ（２ｍ）、…、Ｙ３２０として出力される。
【００９５】
以上説明したスイッチＳ２４およびＳ２５の動作により、第２走査線駆動回路６２ｂは、表示停止信号ＯＦＦの論理レベルに応じて、以下のような走査信号Ｙ（２ｍ）を偶数行目の走査線ｃｏｍ（２ｍ）に対して供給する。
まず、表示停止信号ＯＦＦがＬレベルの場合、上述したようにスイッチＳ２４およびＳ２５は、図１９中実線で示す状態となる。この結果、シフトレジスタ６２２ｂは、図２０に示すように、直列に接続された３２０桁のシフトレジスタのうち偶数桁にシフトされた垂直同期信号ＤＹを、転送信号Ｙｓ２、Ｙｓ４、…、Ｙｓ（２ｍ）、…、Ｙｓ３２０として出力する回路と等価になる。図２１に示すように、各転送信号Ｙｓ２、Ｙｓ４、…、Ｙｓ３２０は、垂直同期信号ＤＹがＨレベルになった時点から、クロック信号ＹＣＫが偶数回目に立ち上がる度に順次Ｈレベルとなることにより、対応する奇数行目の走査線ｃｏｍ（２ｍ）を選択する期間を指示する。
【００９６】
これにより、第２走査線駆動回路６２ｂから出力される走査信号Ｙ２、Ｙ４、…、Ｙ３２０は、図２１に示す通りとなる。さらに詳述すると、走査信号Ｙ２、Ｙ４、…、Ｙ３２０は、対応する転送信号Ｙｓ２、Ｙｓ４、…、Ｙｓ３２０がＨレベルとなる１水平走査期間（１Ｈ）のうち後半期間（１／２）に選択電圧となる。なお、１垂直走査期間に着目すれば、走査信号Ｙ２、Ｙ４、…、Ｙ３２０の選択電圧の極性は互いに等しくなる。
【００９７】
次に、表示停止信号ＯＦＦがＬレベルからＨレベルに反転した場合における走査信号Ｙ２、Ｙ４、…、Ｙ３２０について説明する。
上述したように、表示停止信号ＯＦＦがＨレベルに反転すると、スイッチＳ２４およびＳ２５は図１９中破線で示す状態となる。この結果、シフトレジスタ６２２ｂは、図２２に示すように、垂直同期信号ＤＹを独立してシフトする４つのシフトレジスタ群６２２２ｂ、６２２４ｂ、６２２６ｂおよび６２２８ｂを含む回路と等価になる。この構成において、制御回路２０から出力された垂直同期信号ＤＹは、シフトレジスタ群６２２２ｂ、６２２４ｂ、６２２６ｂおよび６２２８ｂに属する第１桁のそれぞれに、並列して供給される。
【００９８】
このうち、シフトレジスタ群６２２２ｂに供給された垂直同期信号ＤＹは、第１桁、第２桁、第９桁、第１０桁、第１７桁、…、第（８ｐ＋１）桁、第（８ｐ＋２）桁、…、第３１３桁、第３１４桁に、この順でクロック信号ＹＣＫに従ってシフトされる。ただし、「ｐ」は、「０≦ｐ≦３９」を満たす整数である。シフトレジスタ群６２２２ｂのうち「８ｐ＋２」桁にシフトされた垂直同期信号ＤＹは、転送信号Ｙｓ２、Ｙｓ１０、…、Ｙｓ（８ｐ＋２）、…、Ｙｓ３１４として、シフトレジスタ６２２ｂから出力される。
【００９９】
また、シフトレジスタ群６２２４ｂに供給された垂直同期信号ＤＹは、第１桁、第４桁、…、第（８ｐ＋１）桁、第（８ｐ＋４）桁、…、第３１２桁、第３１６桁にこの順でシフトされる。このうち「８ｐ＋４」桁にシフトされた垂直同期信号ＤＹは、転送信号Ｙｓ４、Ｙｓ１２、…、Ｙｓ（８ｐ＋４）、…、Ｙｓ３１６としてシフトレジスタ６２２ｂから出力される。
【０１００】
同様に、シフトレジスタ群６２２６ｂに供給された垂直同期信号ＤＹは、第６桁、第１４桁、…、第（８ｐ＋１）桁、第（８ｐ＋６）桁、…、第３１３桁、第３１８桁にこの順でシフトされる。このうち「８ｐ＋６」桁にシフトされた垂直同期信号ＤＹは、転送信号Ｙｓ６、Ｙｓ１４、…、Ｙｓ（８ｐ＋６）、…Ｙｓ３１８としてシフトレジスタ６２２ｂから出力される。
【０１０１】
そして、シフトレジスタ群６２２８ｂに供給された垂直同期信号ＤＹは、第１桁、第８桁、…、第（８ｐ＋１）桁、第（８ｐ＋８）桁、…、第３１３桁、第３２０桁にこの順でシフトされる。このうち「８ｐ＋８」桁にシフトされた垂直同期信号ＤＹは、転送信号Ｙｓ８、Ｙｓ１６、…、Ｙｓ（８ｐ＋８）、…Ｙｓ３２０としてシフトレジスタ６２２ｂから出力される。
【０１０２】
ここで、各シフトレジスタ群６２２２ｂ、６２２４ｂ、６２２６ｂおよび６２２８ｂに対して、動作の契機を与える垂直同期信号ＤＹ、および、シフトの周期を与えるクロック信号ＹＣＫはそれぞれ共通である。したがって、シフトレジスタ群６２２２ｂから出力される転送信号Ｙｓ（８ｐ＋２）と、シフトレジスタ群６２２４ｂから出力される転送信号Ｙｓ（８ｐ＋４）と、シフトレジスタ群６２２６ｂから出力される転送信号Ｙｓ（８ｐ＋６）と、シフトレジスタ群６２２８ｂから出力される転送信号Ｙｓ（８ｐ＋８）とは、図２３に示すように、それぞれ同一の水平走査期間（１Ｈ）においてＨレベルとなる。つまり、転送信号Ｙｓ（８ｐ＋２）、Ｙｓ（８ｐ＋４）、Ｙｓ（８ｐ＋６）およびＹｓ（８ｐ＋８）は、それぞれに対応した４本の走査線ｃｏｍ（８ｐ＋２）、ｃｏｍ（８ｐ＋４）、ｃｏｍ（８ｐ＋６）およびｃｏｍ（８ｐ＋８）を、１水平走査期間（１Ｈ）において並行して選択する旨を指示する。
【０１０３】
これにより、表示停止信号ＯＦＦがＬレベルからＨレベルに反転した場合における走査信号Ｙ２、Ｙ４、…、Ｙ３２０は、同図２３に示す通りとなる。具体的には、走査信号Ｙ２、Ｙ４、…、Ｙ３２０のうち、走査信号Ｙ（８ｐ＋２）、Ｙ（８ｐ＋４）、Ｙ（８ｐ＋６）およびＹ（８ｐ＋８）の組は、それぞれ同一の水平走査期間（１Ｈ）の後半期間（１／２）において、同極性の選択電圧となる。
【０１０４】
以上説明した第１走査線駆動回路６２ａおよび第２走査線駆動回路６２ｂを有する電気光学装置１０においては、表示停止信号ＯＦＦに応じて、以下の２種類の処理が実行される。
まず、表示停止信号ＯＦＦがＬレベルの場合には、第１走査線駆動回路６２ａからは、奇数行目の走査線ｃｏｍ（２ｍ−１）に対して、前掲図１６に示すような走査信号Ｙ１、Ｙ３、…、Ｙ（２ｍ―１）、…、Ｙ３１９が供給される。一方、第２走査線駆動回路６２ｂからは、偶数行目の走査線ｃｏｍ（２ｍ）に対して、前掲図２３に示すような走査信号Ｙ２、Ｙ４、…、Ｙ（２ｍ）、…、Ｙ３２０が供給される。これらの走査信号Ｙ（２ｍ―１）および走査信号Ｙ（２ｍ）は、それぞれが選択電圧となる水平走査期間（１Ｈ）が交互に連なっており、走査信号Ｙ（２ｍ―１）および走査信号Ｙ（２ｍ）を含む信号群は、結果的に、前掲図４（第１実施形態）に示す走査信号Ｙ１、Ｙ２、…、Ｙ３２０と同様な信号群となる。
一方、データ線駆動回路５０は、上述したように階調データＧＤに応じてデータ信号を生成して、生成したデータ信号を各データ線ｓｅｇに供給する。これにより、上記第１実施形態と同様に、例えば前掲図１１（ｄ）、図１１（ｅ）および図１１（ｆ）に示すような電圧が各画素４４０に印加されて液晶４３０（画素４４０）が駆動される。
【０１０５】
次に、表示停止信号ＯＦＦがＨレベルに反転した場合に実行されるオフシーケンス処理について説明する。
ある垂直走査期間において表示停止信号ＯＦＦがＨレベルに反転すると、奇数行目の走査線ｃｏｍ（２ｍ−１）に対応する走査信号Ｙ（８ｐ＋１）、走査信号Ｙ（８ｐ＋３）、走査信号Ｙ（８ｐ＋５）および走査信号Ｙ（８ｐ＋７）の組は、図１８に示すように、垂直同期信号ＤＹが立ち上がってから、奇数回目のクロック信号ＹＣＫの立ち上がりを契機とする水平走査期間（１Ｈ）に並行して選択電圧となる。このため、奇数回目のクロック信号ＹＣＫの立ち上がりを契機とする各水平走査期間（１Ｈ）において、走査線ｃｏｍ（８ｐ＋１）、ｃｏｍ（８ｐ＋３）、ｃｏｍ（８ｐ＋５）およびｃｏｍ（８ｐ＋７）の組が並行して選択される。
【０１０６】
また、偶数行目の走査線ｃｏｍ（２ｍ）に対応する走査信号Ｙ（８ｐ＋２）、走査信号Ｙ（８ｐ＋４）、走査信号Ｙ（８ｐ＋６）および走査信号Ｙ（８ｐ＋８）の組は、図２３に示すように、垂直同期信号ＤＹが立ち上がってから、偶数回目のクロック信号ＹＣＫの立ち上がりを契機とする水平走査期間（１Ｈ）に並行して選択電圧となる。この結果、偶数回目のクロック信号ＹＣＫの立ち上がりを契機とする各水平走査期間（１Ｈ）において、走査線ｃｏｍ（８ｐ＋２）、ｃｏｍ（８ｐ＋４）、ｃｏｍ（８ｐ＋６）およびｃｏｍ（８ｐ＋８）の組が並行して選択される。
以上から走査線ｃｏｍ（８ｐ＋１）、ｃｏｍ（８ｐ＋３）、ｃｏｍ（８ｐ＋５）およびｃｏｍ（８ｐ＋７）の組と、走査線ｃｏｍ（８ｐ＋２）、ｃｏｍ（８ｐ＋４）、ｃｏｍ（８ｐ＋６）およびｃｏｍ（８ｐ＋８）の組とは、時系列的に交互に選択される。
【０１０７】
一方、データ線駆動回路５０は、白色表示のためのデータ信号を全てのデータ線ｓｅｇに対して供給する。これにより、ひとつの水平走査期間（１Ｈ）において、４行の画素４４０に対して、前掲図１１（ｆ）に示すような白色表示のための非点灯電圧「｜ＶＳ−ＶＤ／２｜」が一括して印加され、それぞれの画素４４０から電荷が除去される。
このように第２実施形態においても、ひとつの水平走査期間（１Ｈ）において、複数の走査線ｃｏｍに並行して選択電圧が印加されるため、オフシーケンス処理を速やかに実行することができる。
【０１０８】
＜第３実施形態＞
上述した第２実施形態においては、２つの走査線駆動回路のうち一方（第１走査線駆動回路６２ａ）が、奇数行目の走査線ｃｏｍ（２ｍ−１）に走査信号Ｙ（２ｍ−１）を供給し、他方（第２走査線駆動回路６２ｂ）が、偶数行目の走査線ｃｏｍ（２ｍ）に走査信号Ｙ（２ｍ）を供給する構成の電気光学装置１０について説明した。これに対し、第３実施形態においては、３２０本の走査線ｃｏｍを、第１行から第１６０行目まで前半ブロックと、第１６１行から第３２０行目までの後半ブロックとに分け、２つの走査線駆動回路のうち一方が、前半ブロックに属する走査線ｃｏｍ１、ｃｏｍ２、…、ｃｏｍ１６０に走査信号Ｙ１、Ｙ２、…、Ｙ１６０を供給し、他方の走査線駆動回路が、後半ブロックに属する走査線ｃｏｍ１６１、ｃｏｍ１６２、…、ｃｏｍ３２０に走査信号Ｙ１６１、Ｙ１６２、…、Ｙ３２０を供給する構成の電気光学装置１０について説明する。
【０１０９】
図２４は、第３実施形態にかかる第１走査線駆動回路、第２走査線駆動回路および走査線ｃｏｍの配置を示す図である。この図において、第１走査線駆動回路６４ａは、走査線ｃｏｍ１、ｃｏｍ２、…、ｃｏｍ１６０と接続されており、各走査線ｃｏｍ１、ｃｏｍ２、…、ｃｏｍ１６０に走査信号Ｙ１、Ｙ２、…、Ｙ１６０を供給する。一方、第２走査線駆動回路６４ｂは、走査線ｃｏｍ１６１、ｃｏｍ１６２、…、ｃｏｍ３２０と接続されており、各走査線ｃｏｍ１６１、ｃｏｍ１６２、…、ｃｏｍ３２０に走査信号Ｙ１６１、Ｙ１６２、…、Ｙ３２０をそれぞれ供給する。上述した第２実施形態では、制御回路２０は、第１走査線駆動回路６２ａおよび第２走査線駆動回路６２ｂのそれぞれに垂直同期信号ＤＹを垂直走査の基準信号として供給した。これに対し、本実施形態に係る制御回路２０は、第１走査線駆動回路６４ａには垂直同期信号ＤＹを供給するが、第２走査線駆動回路６４ｂに対しては垂直走査の基準信号として垂直同期補助信号ＤＹ’を供給する。
【０１１０】
垂直同期補助信号ＤＹ’は、表示停止信号ＯＦＦに応じてその周期が変化するパルス波である。具体的には、表示停止信号ＯＦＦがＬレベルの場合には、垂直同補助信号ＤＹ’は、図２８に示すように、垂直同期信号ＤＹの立ち上がりタイミングから「１Ｈ×１６０」だけ遅れた周期でＬレベルからＨレベルに立ち上がる。一方、表示停止信号ＯＦＦがＨレベルに反転し、オフシーケンス期間になると、垂直同期補助信号ＤＹ’は、図３０に示すように、垂直同期信号ＤＹの立ち上がりタイミングから「１Ｈ×４０（オフシーケンス期間の半分）」だけ遅れたタイミングでＬレベルからＨレベルに立ち上がる。
なお、以下の説明においては、第１走査線駆動回路６４ａおよび第２走査線駆動回路６４ｂ以外の構成については、上述した第２実施形態に係る電気光学装置１０と略同様であるため説明を省略する。
【０１１１】
図２５は、第１走査線駆動回路６４ａの構成を示す図である。第１走査線駆動回路６４ａは、上述した走査線駆動回路６０と同様にシフトレジスタ６４２ａ、電圧選択信号生成回路６４４ａ、レベルシフタ６４６ａおよびセレクタ６４８ａを含むが、このうちシフトレジスタ６４２ａの構成に特徴を有する。図２６は、シフトレジスタ６４２ａの構成を示す図である。この図に示すようにシフトレジスタ６４２ａは、１行目から１６０行目の走査線ｃｏｍに１対１に対応した１６０桁のレジスタ（転送回路）６４３を有するシフトレジスタであり、３種類のスイッチＳ３１、Ｓ３２、Ｓ３３およびＳ３４を含む。各スイッチＳ３１、Ｓ３２、Ｓ３３およびＳ３４は、表示停止信号ＯＦＦがＬレベルであれば図中実線で示すような状態となり、表示停止信号ＯＦＦがＨレベルであれば図中破線で示す状態となる。なお、特に図示しないが、シフトレジスタ６４２ａの全ての桁にはクロック信号ＹＣＫが供給される。
【０１１２】
まず、スイッチＳ３１は、表示停止信号ＯＦＦがＬレベルであれば、制御回路２０から出力された垂直同期信号ＤＹを、シフトレジスタ６２２ａのうち第１桁のみに伝送するが、表示停止信号ＯＦＦがＨレベルであれば、同垂直同期信号ＤＹを第１桁、第３桁、第５桁および第７桁のそれぞれに伝送する。
【０１１３】
また、スイッチＳ３２は、表示停止信号ＯＦＦがＬレベルであれば、第（８ｑ＋１）桁からシフトされた垂直同期信号ＤＹを、それより１桁だけ下位の第（８ｐ＋２）桁に伝送する。これに対し、表示停止信号ＯＦＦがＨレベルであれば、スイッチＳ３２は、第（８ｑ＋１）桁からシフトされた垂直同期信号ＤＹを、第（８ｑ＋２）桁、第（８ｑ＋４）桁、第（８ｑ＋６）桁および第（８ｑ＋８）桁のそれぞれに伝送する。ここで、「ｑ」は、「０≦ｑ≦１９」を満たす整数である。
スイッチＳ３３は、第８ｑ桁および第（８ｑ＋１）桁を除く全ての桁によってシフトされた垂直同期信号ＤＹを、それよりも１桁だけ下位の桁に伝送する。
【０１１４】
一方、スイッチＳ３４は、表示停止信号ＯＦＦがＬレベルであれば、第８ｑ桁からシフトされた垂直同期信号ＤＹを、それより１桁だけ下位の第（８ｑ＋１）桁に伝送する。これに対し、表示停止信号ＯＦＦがＨレベルであれば、スイッチＳ３４は、第８ｑ桁からシフトされた垂直同期信号ＤＹを、第（８ｑ＋１）桁、第（８ｑ＋３）桁、第（８ｑ＋５）桁および第（８ｑ＋７）桁のそれぞれに伝送する。
【０１１５】
シフトレジスタ６４２ａにおいては、クロック信号ＹＣＫに従って、各桁に垂直同期信号ＤＹが順次にシフトされる。シフトレジスタ６４２ａの各桁にシフトされた垂直同期信号ＤＹは、転送信号Ｙ１、Ｙ２、…、Ｙ１６０として出力される。
【０１１６】
以上の各スイッチＳ３１、Ｓ３２、Ｓ３３およびＳ３４の動作により、シフトレジスタ６４２ａは、表示停止信号ＯＦＦの論理レベルに応じて、以下のような走査信号Ｙ１、Ｙ２、…、Ｙ１６０を、１行から１６０行目の各走査線ｃｏｍに対して供給する。
まず、表示停止信号ＯＦＦがＬレベルの場合、上述したようにスイッチＳ３１、Ｓ３２、Ｓ３３およびＳ３４は図２６中実線で示す状態となる。この結果、シフトレジスタ６４２ａは、図２７に示すように、直列に接続された１６０桁のシフトレジスタの各桁にシフトされた垂直同期信号ＤＹを、転送信号Ｙｓ１、Ｙｓ２、…、Ｙｓ１６０として出力する回路と等価になる。
【０１１７】
図２８に示すように、転送信号Ｙｓ１、Ｙｓ２、…、Ｙｓ１６０は、１つの垂直走査期間（１Ｈ×３２０）のうち前半期間（１Ｈ×１６０）のみにおいて、１水平走査期間（１Ｈ）毎に、それぞれ順次に立ち上がる。この結果、表示停止信号ＯＦＦがＬレベルの場合においては、走査信号Ｙ１、Ｙ２、…、Ｙ１６０は、同図に示すように、垂直走査期間（１Ｈ×３２０）の前半期間（１Ｈ×１６０）のうち、水平走査期間（１Ｈ）の後半期間（１／２Ｈ）毎に順次に選択電圧となる。
【０１１８】
次に、表示停止信号ＯＦＦがＬレベルからＨレベルに反転した場合における走査信号Ｙ１、Ｙ２、…、Ｙ１６０について説明する。
上述したように、表示停止信号ＯＦＦがＨレベルに反転すると、スイッチＳ３１、Ｓ３２、Ｓ３３およびＳ３４は図２６中破線で示す状態となる。この結果、シフトレジスタ６４２ａは、転送信号の立ち上がりタイミングという観点からいえば、図２９に示すように、それぞれ並行して垂直同期信号ＤＹをシフトする４つのシフトレジスタ群６４２２ａ、６４２４ａ、６４２６ａおよび６４２８ａを含む回路と等価になる。この構成において、シフトレジスタ群６４２２ａに属する第１桁と、シフトレジスタ群６４２４ａに属する第３桁と、シフトレジスタ群６４２６ａに属する第５桁と、シフトレジスタ群６４２８ａに属する第７桁とのそれぞれに、制御回路２０から出力された垂直同期信号ＤＹが並列して入力される。
【０１１９】
まず、シフトレジスタ群６４２２ａに供給された垂直同期信号ＤＹは、第１桁、第２桁、…、第（８ｑ＋１）桁、第（８ｑ＋２）桁、…、第１５３桁および第１５４桁の各々にこの順でシフトされ、転送信号Ｙｓ１、Ｙｓ２、…、Ｙｓ（８ｑ＋１）、Ｙｓ（８ｑ＋２）、…、Ｙｓ１５３およびＹｓ１５４として各桁から出力される。ここで、「ｑ」は、「０≦ｑ≦１９」を満たす整数である。
【０１２０】
また、シフトレジスタ群６４２４ａに供給された垂直同期信号ＤＹは、第３桁、第４桁、…、第（８ｑ＋３）桁、第（８ｑ＋４）桁、…、第１５５桁および第１５６桁の各々にこの順でシフトされ、転送信号Ｙｓ３、Ｙｓ４、…、Ｙｓ（８ｑ＋３）、Ｙｓ（８ｑ＋４）、…、Ｙｓ１５５およびＹｓ１５６として各桁から出力される。
【０１２１】
同様に、シフトレジスタ群６４２６ａに供給された垂直同期信号ＤＹは、第５桁、第６桁、…、第（８ｑ＋５）桁、第（８ｑ＋６）桁、…、第１５７桁および第１５８桁の各々にこの順でシフトされ、転送信号Ｙｓ５、Ｙｓ６、…、Ｙｓ（８ｑ＋５）、Ｙｓ（８ｑ＋６）、…、Ｙｓ１５７およびＹｓ１５８として各桁から出力される。
【０１２２】
そして、シフトレジスタ群６４２８ａに供給された垂直同期信号ＤＹは、第７桁、第８桁、…、第（８ｑ＋７）桁、第（８ｑ＋８）桁、…、第１５９桁および第１６０桁の各々にこの順でシフトされ、転送信号Ｙｓ７、Ｙｓ８、…、Ｙｓ（８ｑ＋７）、Ｙｓ（８ｑ＋８）、…、Ｙｓ１５９およびＹｓ１６０として各桁から出力される。なお、これらの各シフトレジスタ群６４２２ａ、６４２４ａ、６４２６ａおよび６４２８ａの桁の総数は「４０桁」である。したがって、各シフトレジスタ群６４２２ａ、６４２４ａ、６４２６ａおよび６４２８ａは、垂直同期信号ＤＹが立ち上がってから、第４０回目のクロック信号ＣＬＫの立ち上がりタイミングを迎えるまでの期間に渡り順次にＨレベルとなる転送信号を出力する。
【０１２３】
ここで、各シフトレジスタ群６４２２ａ、６４２４ａ、６４２６ａおよび６４２８ａに対して、動作の契機を与える垂直同期信号ＤＹ、および、シフトの周期を与えるクロック信号ＹＣＫは共通である。このため、シフトレジスタ群６４２２ａから出力される転送信号Ｙｓ１、Ｙｓ２、…、Ｙｓ（８ｑ＋１）、Ｙｓ（８ｑ＋２）、…、Ｙｓ１５４と、シフトレジスタ群６４２４ａから出力される転送信号Ｙｓ３、Ｙｓ４、…、Ｙｓ（８ｑ＋３）、Ｙｓ（８ｑ＋４）、…、Ｙｓ１５６と、シフトレジスタ群６４２６ａから出力される転送信号Ｙｓ５、Ｙｓ６、…、Ｙｓ（８ｑ＋５）、Ｙｓ（８ｑ＋６）、…、Ｙｓ１５８と、シフトレジスタ群６４２８ａから出力される転送信号Ｙｓ７、Ｙｓ８、…、Ｙｓ（８ｑ＋７）、Ｙｓ（８ｑ＋８）、…、Ｙｓ１６０とは、図３０に示すように、それぞれ同一の水平走査期間においてＨレベルとなる。
【０１２４】
この結果、表示停止信号ＯＦＦがＨレベルに反転すると、図３０に示す走査信号Ｙ１、Ｙ２、…、Ｙ１６０が、第１行から第１６０行目の各走査線ｃｏｍに供給される。さらに詳述すると、走査信号Ｙ１、Ｙ２、…、Ｙ１６０のうち、４つの走査信号Ｙｓ（８ｑ＋１）、Ｙｓ（８ｑ＋３）、Ｙｓ（８ｑ＋５）およびＹｓ（８ｑ＋７）の組と、４つの走査信号Ｙｓ（８ｑ＋２）、Ｙｓ（８ｑ＋４）、Ｙｓ（８ｑ＋６）、Ｙｓ（８ｑ＋８）の組とのそれぞれが同一の信号波形となり、垂直同期信号ＤＹが立ち上がってから、第４０回目に至るまでの各水平走査期間（１Ｈ）において、それぞれ並行して選択電圧となる。なお、上述したように「ｑ」は、「０≦ｑ≦１９」を満たす整数である。
【０１２５】
次に、第２走査線駆動回路６４ｂの詳細について説明する。上述したように第２走査線駆動回路６４ｂは、第１６１行から第３２０行目の走査線ｃｏｍのそれぞれに、走査信号ｃｏｍ１６１、ｃｏｍ１６２、…、ｃｏｍ３２０を供給する回路である。第２走査線駆動回路６４ｂの構成は、前掲図２５に示す第１走査線駆動回路６４ａの構成と略同様であるが、シフトレジスタの構成が第１走査線駆動回路６４ａのそれと異なる。
【０１２６】
図３１は、第２走査線駆動回路６４ｂに含まれるシフトレジスタの構成を示す図である。この図に示すようにシフトレジスタ６４２ｂは、１６１行から３２０行目までの走査線ｃｏｍに１対１で対応した１６０桁のレジスタ（転送回路）６４３を有するシフトレジスタであり、４種類のスイッチＳ３５、Ｓ３６、Ｓ３７およびＳ３８を含む。各スイッチＳ３５、Ｓ３６、Ｓ３６およびＳ３７は、表示停止信号ＯＦＦがＬレベルであれば図中実線で示すような状態となり、表示停止信号ＯＦＦがＨレベルであれば図中破線で示す状態となる。なお、上述したシフトレジスタ６４２ａは、垂直同期信号ＤＹをクロック信号ＹＣＫに従ってシフトしたが、このシフトレジスタ６４２ｂは、クロック信号ＹＣＫに従って垂直同期補助信号ＤＹ’をシフトする。
【０１２７】
まず、スイッチＳ３５は、表示停止信号ＯＦＦがＬレベルであれば、制御回路２０から出力された垂直同期補助信号ＤＹ’を第１桁のみに伝送するが、表示停止信号ＯＦＦがＨレベルであれば、垂直同期補助信号ＤＹ’を第１桁、第３桁、第５桁および第７桁のそれぞれに伝送する。
また、スイッチＳ３７は、第１５６桁（不図示）から第１５９桁を除く各桁によりシフトされた垂直同期補助信号ＤＹ’を、表示停止信号ＯＦＦがＬレベルであれば、当該桁より１桁だけ下位の桁に供給し、表示停止信号ＯＦＦがＨレベルであれば、当該桁より３桁だけ下位の桁に供給する。一方、スイッチＳ３６は、第１５６桁から第１５９桁の各桁によりシフトされた垂直同期補助信号ＤＹ’を、当該桁より１桁だけ下位の桁に供給する。
【０１２８】
また、スイッチＳ３６は、表示停止信号ＯＦＦがＬレベルであれば、第（８ｒ＋１）桁からシフトされた垂直同期補助信号ＤＹ’を、それより１桁だけ下位の第（８ｒ＋２）桁に伝送する。これに対し、表示停止信号ＯＦＦがＨレベルであれば、スイッチＳ３６は、第（８ｒ＋１）桁からシフトされた垂直同期補助信号ＤＹ’を、第（８ｒ＋２）桁、第（８ｒ＋４）桁、第（８ｒ＋６）桁および第（８ｒ＋８）桁のそれぞれに伝送する。ここで、「ｒ」は、「０≦ｒ≦１９」を満たす整数である。
スイッチＳ３７は、第８ｒ桁および第（８ｒ＋１）桁を除く全ての桁によってシフトされた垂直同期信号ＤＹを、それよりも１桁だけ下位の桁に伝送する。
【０１２９】
一方、スイッチＳ３８は、表示停止信号ＯＦＦがＬレベルであれば、第８ｒ桁からシフトされた垂直同期補助信号ＤＹ’を、それより１桁だけ下位の第（８ｒ＋１）桁に伝送する。これに対し、表示停止信号ＯＦＦがＨレベルであれば、スイッチＳ３８は、第８ｒ桁からシフトされた垂直同期補助信号ＤＹ’を、第（８ｒ＋１）桁、第（８ｒ＋３）桁、第（８ｒ＋５）桁および第（８ｓ＋７）桁のそれぞれに伝送する。
【０１３０】
シフトレジスタ６４２ｂにおいては、クロック信号ＹＣＫに従って、各桁に垂直同期補助信号ＤＹ’が順次にシフトされる。シフトレジスタ６４２ｂの各桁にシフトされた垂直同期補助信号ＤＹ’は、転送信号Ｙ１６１、Ｙ１６１、…、Ｙ３２０として出力される。
【０１３１】
以上の各スイッチＳ３５、Ｓ３６、Ｓ３７およびＳ３８の動作により、シフトレジスタ６４２ｂは、表示停止信号ＯＦＦの論理レベルに応じて、以下に説明する走査信号Ｙ１６１、Ｙ１６２、…、Ｙ３２０を、第１６１行から第３２０行目の各走査線ｃｏｍに対して供給する。
まず、表示停止信号ＯＦＦがＬレベルの場合、上述したようにスイッチＳ３５、Ｓ３６、Ｓ３７およびＳ３８は図３１中実線で示す状態となる。この結果、シフトレジスタ６４２ｂは、図３２に示すように、直列に接続された１６０桁のシフトレジスタの各桁にシフトされた垂直同期補助信号ＤＹ’を、転送信号Ｙｓ１６１、Ｙｓ１６２、…、Ｙｓ３２０として出力する回路と等価になる。
【０１３２】
ここで、転送信号Ｙｓ１６１、Ｙｓ１６２、…、Ｙｓ３２０の契機となる垂直同期補助信号ＤＹ’は、表示停止信号ＯＦＦがＬレベルの場合には、垂直同期信号ＤＹより「１Ｈ×１６０」だけ遅れたタイミングにて立ち上がる。したがって、転送信号Ｙｓ１６１、Ｙｓ１６２、…、Ｙｓ３２０は、前掲図２８に示すように、１つの垂直走査期間（１Ｈ×３２０）のうち後半期間（１Ｈ×１６０）のみにおいて、１水平走査期間（１Ｈ）毎に、それぞれ順次に立ち上がる。この結果、表示停止信号ＯＦＦがＬレベルの場合においては、走査信号Ｙ１、Ｙ２、…、Ｙ１６０は、同図に示されるように、垂直走査期間（１Ｈ×３２０）の後半期間（１Ｈ×１６０）のうち、各水平走査期間（１Ｈ）の後半期間（１／２Ｈ）毎に順次に選択電圧となる。
【０１３３】
次に、表示停止信号ＯＦＦがＬレベルからＨレベルに反転した場合における走査信号Ｙ１６０、Ｙ１６２、…、Ｙ３２０について説明する。
上述したように、表示停止信号ＯＦＦがＨレベルに反転すると、スイッチＳ３５、Ｓ３６、Ｓ３７およびＳ３８は図３１中破線で示す状態となる。この結果、シフトレジスタ６４２ｂは、転送信号の立ち上がりタイミングという観点からいえば、図３３に示すように、それぞれ並行して垂直同期補助信号ＤＹ’をシフトする４つのシフトレジスタ群６４２２ｂ、６４２４ｂ、６４２６ｂおよび６４２８ｂを含む回路と等価になる。この構成において、シフトレジスタ群６４２２ｂに属する第１桁と、シフトレジスタ群６４２４ｂに属する第３桁と、シフトレジスタ群６４２６ｂに属する第５桁と、シフトレジスタ群６４２８ｂに属する第７桁とのそれぞれに、制御回路２０から出力された垂直同期補助信号ＤＹ’が並列して入力される。
【０１３４】
まず、シフトレジスタ群６４２２ｂに供給された垂直同期補助信号ＤＹ’は、第１桁、第２桁、…、第（８ｒ＋１）桁、第（８ｒ＋２）桁、…、第１５３桁および第１５４桁の各々にこの順でシフトされ、転送信号Ｙｓ１６１、Ｙｓ１６２、…、Ｙｓ（８ｒ＋１６１）、Ｙｓ（８ｒ＋１６２）、…、Ｙｓ３１３およびＹｓ３１４として各桁から出力される。ここで、「ｒ」は、「０≦ｒ≦１９」を満たす整数である。
【０１３５】
また、シフトレジスタ群６４２４ｂに供給された垂直補助同期信号ＤＹ’は、第３桁、第４桁、…、第（８ｒ＋３）桁、第（８ｒ＋４）桁、…、第１５５桁および第１５６桁の各々にこの順でシフトされ、転送信号Ｙｓ１６３、Ｙｓ１６４、…、Ｙｓ（８ｒ＋１６３）、Ｙｓ（８ｒ＋１６４）、…、Ｙｓ３１５およびＹｓ３１６として各桁から出力される。
【０１３６】
同様に、シフトレジスタ群６４２６ｂに供給された垂直補助同期信号ＤＹ’は、第５桁、第６桁、…、第（８ｒ＋５）桁、第（８ｒ＋６）桁、…、第１５７桁および第１５８桁の各々にこの順でシフトされ、転送信号Ｙｓ１６５、Ｙｓ１６６、…、Ｙｓ（８ｒ＋１６５）、Ｙｓ（８ｒ＋１６６）、…、Ｙｓ３１７およびＹｓ３１８として各桁から出力される。
【０１３７】
そして、シフトレジスタ群６４２８ｂに供給された垂直補助同期信号ＤＹ’は、第７桁、第８桁、…、第（８ｒ＋７）桁、第（８ｒ＋８）桁、…、第１５９桁および第１６０桁の各々にこの順でシフトされ、転送信号Ｙｓ１６７、Ｙｓ１６８、…、Ｙｓ（８ｒ＋１６７）、Ｙｓ（８ｒ＋１６８）、…、Ｙｓ３１９およびＹｓ３２０として各桁から出力される。なお、これらの各シフトレジスタ群６４２２ｂ、６４２４ｂ、６４２６ｂおよび６４２８ｂの桁の総数は「４０桁」である。したがって、各シフトレジスタ群６４２２ｂ、６４２４ｂ、６４２６ｂおよび６４２８ｂは、垂直補助同期信号ＤＹ’が立ち上がってから、第４０回目のクロック信号ＣＬＫの立ち上がりタイミングを迎えるまでの期間に順次にＨレベルとなる転送信号を出力する。
【０１３８】
ここで、各シフトレジスタ群６４２２ｂ、６４２４ｂ、６４２６ｂおよび６４２８ｂに対して、動作の契機を与える垂直同期補助信号ＤＹ’、および、シフトの周期を与えるクロック信号ＹＣＫは共通である。このため、シフトレジスタ群６４２２ｂから出力される転送信号Ｙｓ１６１、Ｙｓ１６２、…、Ｙｓ（８ｒ＋１６１）、Ｙｓ（８ｒ＋１６２）、…、Ｙｓ３１４と、シフトレジスタ群６４２４ｂから出力される転送信号Ｙｓ１６３、Ｙｓ１６４、…、Ｙｓ（８ｒ＋１６３）、Ｙｓ（８ｒ＋１６４）、…、Ｙｓ３１６と、シフトレジスタ群６４２６ｂから出力される転送信号Ｙｓ１６５、Ｙｓ１６６、…、Ｙｓ（８ｒ＋１６５）、Ｙｓ（８ｒ＋１６６）、…、Ｙｓ３１８と、シフトレジスタ群６４２８ｂから出力される転送信号Ｙｓ１６７、Ｙｓ１６８、…、Ｙｓ（８ｒ＋１６７）、Ｙｓ（８ｒ＋１６８）、…、Ｙｓ３２０とは、図３０に示すように、それぞれ同一の水平走査期間においてＨレベルとなる。
【０１３９】
この結果、表示停止信号ＯＦＦがＨレベルに反転すると、図３０に示す走査信号Ｙ１６１、Ｙ１６２、…、Ｙ３２０が、第１６０行から第３２０行目の各走査線ｃｏｍに供給される。さらに詳述すると、走査信号Ｙ１６１、Ｙ１６２、…、Ｙ３２０のうち、４つの走査信号Ｙ（８ｒ＋１６１）、Ｙ（８ｒ＋１６３）、Ｙ（８ｒ＋１６５）およびＹ（８ｒ＋１６７）の組と、４つの走査信号Ｙ（８ｒ＋１６２）、Ｙ（８ｒ＋１６４）、Ｙ（８ｒ＋１６６）、Ｙ（８ｒ＋１６８）の組とのそれぞれが同一の信号波形となり、垂直同期補助信号ＤＹ’が立ち上がってから、第４０回目に至るまでの各水平走査期間（１Ｈ）において、それぞれ並行して選択電圧となる。なお、上述したように「ｒ」は、「０≦ｒ≦１９」を満たす整数である。
【０１４０】
以上説明した第１走査線駆動回路６４ａおよび第２走査線駆動回路６４ｂを有する電気光学装置１０においては、表示停止信号ＯＦＦに応じて、以下の２種類の処理が実行される。
まず、表示停止信号ＯＦＦがＬレベルの場合には、第１走査線駆動回路６４ａからは、第１行から第１６０行目の走査線ｃｏｍ１、ｃｏｍ２、…、ｃｏｍ１６０のぞれぞれに対して、前掲図２８に示すような走査信号Ｙ１、Ｙ３、…、Ｙ１６０が供給される。一方、第２走査線駆動回路６４ｂからは、第１６１行から第３２０行目の走査線ｃｏｍ１６１、ｃｏｍ１６２、…、ｃｏｍ３２０に対して、同図に示すような走査信号Ｙ１６１、Ｙ１６２、…、Ｙ３２０が供給される。これらの走査信号Ｙ１、Ｙ２、…、Ｙ３２０は、結果的に、前掲図４（第１実施形態）に示す走査信号Ｙ１、Ｙ２、…、Ｙ３２０と同様な信号となる。
一方、データ線駆動回路５０は、上述したように階調データＧＤに応じてデータ信号を生成して、生成したデータ信号を各データ線ｓｅｇに供給する。これにより、上記第１実施形態と同様に、例えば前掲図１１（ｄ）、図１１（ｅ）および図１１（ｆ）に示すような電圧が各画素４４０に印加されて画素４４０が駆動される。
【０１４１】
次に、表示停止信号ＯＦＦがＨレベルに反転した場合に実行されるオフシーケンス処理について図３０を参照して説明する。
図３０に示すように、ある垂直走査期間において表示停止信号ＯＦＦがＨレベルに反転すると、その直後に垂直同期信号ＤＹが立ち上がってから垂直同期補助信号ＤＹ’が立ち上がるまでの「１Ｈ×４０」の期間においては、第１行から第１６０行目の走査線ｃｏｍに対応した走査信号Ｙ１、Ｙ２、…、Ｙ１６０が順次に選択電圧となる。さらに詳述すると、走査信号Ｙ１、Ｙ２、…、Ｙ１６０のうち、奇数行に対応した４つの走査信号Ｙ（８ｒ＋１）、Ｙ（８ｒ＋３）、Ｙ（８ｒ＋５）およびＹ（８ｒ＋７）の組と、奇数行に対応した４つの走査信号Ｙ（８ｒ＋２）、Ｙ（８ｒ＋４）、Ｙｓ（８ｒ＋６）、Ｙ（８ｒ＋８）の組とは、それぞれの組において同一の水平走査期間中に選択電圧となる。
【０１４２】
同様に、オフシーケンス期間（１Ｈ×８０）のうち、垂直同期補助信号ＤＹ’が立ち上がってから「１Ｈ×４０」の期間においては、第１６１行から第３２０行目の走査線ｃｏｍに対応した走査信号Ｙ１６１、Ｙ１６２、…、Ｙ３２０が順次に選択電圧となる。さらに詳述すると、このうち、奇数行に対応した４つの走査信号Ｙ（８ｒ＋１６１）、Ｙ（８ｒ＋１６３）、Ｙ（８ｒ＋１６５）およびＹ（８ｒ＋１６７）の組と、奇数行に対応した４つの走査信号Ｙ（８ｒ＋１６２）、Ｙ（８ｒ＋１６４）、Ｙｓ（８ｒ＋１６６）、Ｙ（８ｒ＋１６８）の組とは、それぞれの組において同一の水平走査期間中に選択電圧となる。
【０１４３】
一方、データ線駆動回路５０は、白色表示のためのデータ信号を全てのデータ線ｓｅｇに対して供給する。これにより、ひとつの水平走査期間（１Ｈ）において、４行の画素４４０に対して、前掲図１１（ｆ）に示すような白色表示のための電圧「ＶＳ−ＶＤ／２」あるいは「−ＶＳ＋ＶＤ／２」が一括して印加され、それぞれの画素４４０から電荷が除去される。
このように第３実施形態においても、ひとつの水平走査期間（１Ｈ）において、複数の走査線ｃｏｍに並行して選択電圧が印加されるため、オフシーケンス処理を速やかに実行することができる。
【０１４４】
＜変形例＞
なお、本発明にかかる電気光学装置１０は、上述した構成の電気光学装置１０のみ限定されるものではなく、本発明の要旨を逸脱しない範囲内において種々変更を加えることが可能である。
まず上述した電気光学装置１０にかかる細部は、種々の周知技術と代替することが可能である。例えば、電気光学装置１０の走査線ｃｏｍやデータ線ｓｅｇの本数に変更しても良いし、ノーマリーホワイトモードでなく、電圧の無印加状態において黒色表示となるノーマリーブラックモードとしても良い。このようにノーマリーブラックモードとする場合、制御回路２０は、オフシーケンス期間において、全画素４４０について黒色表示となるように走査線駆動回路６０およびデータ線駆動回路５０をそれぞれ制御する。また、アクティブ素子（能動素子）として、ＴＦＤの代わりにＴＦＴ（薄膜トランジスタ）を用いても良く、さらにはアクティブ素子を用いないパッシブマトリックスの液晶装置であっても、本発明を適用することができる。要は、画素４４０の駆動の停止時に、全ての画素４４０に対して非点灯電圧を印加する必要のある電気光学装置であれば任意に本発明を適用することができる。
【０１４５】
さらに、上記実施形態では液晶装置を例として本発明の実施形態にかかる電気光学装置１０を説明したが、本発明の適用範囲はこれに限らず、例えば有機エレクトロルミネッセンス装置、無機エレクトロルミネッセンス装置、プラズマディスプレイ装置、ＦＥＤ（フィールドエミッションディスプレイ）パネル、電気泳動表示装置、電界放出表示装置、ＬＥＤ（ライトエミッティングダイオード）表示装置、デジタルマイクロミラーデバイス（ＤＭＤ）を用いた装置など液晶４３０以外の電気光学物質を有する電気光学装置１０であっても、電気光学物質に作用する直流電界あるいは直流電圧に起因して電気光学物質の劣化が発生し得る電気光学装置であれば、上述した実施形態と同様の効果が得られる。
【０１４６】
最後に、以上説明した電気光学装置１０を搭載した電子機器について説明する。
例えば、図３４は、上述した電気光学装置１０を表示部として有する携帯電話機８００の外観図である。この図において、携帯電話機８００は、複数の操作ボタン８１０の他、受話口８２０、送話口８３０と共に、電話番号などの各種情報を表示する表示部として、上記電気光学装置１０を備えている。
また、携帯電話機８００以外にも、電気光学装置１０は、コンピュータや、デジタルカメラ、ムービーカメラ、車載機器、複写機、オーディオ機器などの各種電子機器の表示部の他、プロジェクタにおける光変調手段としても用いることができる。
【図面の簡単な説明】
【０１４７】
【図１】本発明の第１実施形態にかかる電気光学装置の構成を示す図である。
【図２】同電気光学装置に含まれる液晶パネルの部分斜視図である。
【図３】同液晶パネルに設けられた走査線の配置を示す図である。
【図４】同電気光学装置における垂直走査に用いられる各種信号を示す図である。
【図５】同電気光学装置における水平走査に用いられる各種信号を示す図である。
【図６】同電気光学装置に含まれる走査線駆動回路の構成を示す図である。
【図７】同走査線駆動回路に含まれるシフトレジスタの構成を示す図である。
【図８】同走査線駆動回路により生成される走査信号を示す図である。
【図９】オフシーケンス処理において、選択電圧が印加される走査線を示す図である。
【図１０】同電気光学装置に含まれるデータ線駆動回路の構成を示す図である。
【図１１】同電気光学装置において画素に印加される電圧を示す図である。
【図１２】本発明の第２実施形態における走査線の配置を示す図である。
【図１３】本発明の第２実施形態にかかる第１走査線駆動回路の構成を示す図である。
【図１４】同第１走査線駆動回路に含まれるシフトレジスタの構成を示す図である。
【図１５】同シフトレジスタの等価回路を示す図である。
【図１６】同第１走査線駆動回路により生成される信号を示す図である。
【図１７】同シフトレジスタの等価回路を示す図である。
【図１８】同第１走査線駆動回路により生成される信号を示す図である。
【図１９】第２走査線駆動回路に含まれるシフトレジスタの構成を示す図である。
【図２０】同シフトレジスタの等価回路を示す図である。
【図２１】同第２走査線駆動回路により生成される信号を示す図である。
【図２２】同シフトレジスタの等価回路を示す図である。
【図２３】同第２走査線駆動回路により生成される信号を示す図である。
【図２４】本発明の第３実施形態における走査線の配置を示す図である。
【図２５】同第３実施形態にかかる第１走査線駆動回路の構成を示す図である。
【図２６】同第１走査線駆動回路に含まれるシフトレジスタの構成を示す図である。
【図２７】同シフトレジスタの等価回路を示す図である。
【図２８】同第１走査線駆動回路により生成される信号を示す図である。
【図２９】同シフトレジスタの等価回路を示す図である。
【図３０】同第１走査線駆動回路により生成される信号を示す図である。
【図３１】第２走査線駆動回路に含まれるシフトレジスタの構成を示す図である。
【図３２】同シフトレジスタの等価回路を示す図である。
【図３３】同シフトレジスタの等価回路を示す図である。
【図３４】本発明の実施形態に係る電気光学装置を搭載した電子機器の外観図である。
【符号の説明】
【０１４８】
１０…電気光学装置、２０…制御回路、３０…電圧生成回路、４０…液晶パネル、５０…データ線駆動回路、６０…走査線駆動回路、４１４…ＴＦＤ、４３０…液晶、ｃｏｍ…走査線、ｓｅｇ…データ線
【図１】
0004608864.tif 000002
【図２】
0004608864.tif 000003
【図３】
0004608864.tif 000004
【図４】
0004608864.tif 000005
【図５】
0004608864.tif 000006
【図６】
0004608864.tif 000007
【図７】
0004608864.tif 000008
【図８】
0004608864.tif 000009
【図９】
0004608864.tif 000010
【図１０】
0004608864.tif 000011
【図１１】
0004608864.tif 000012
【図１２】
0004608864.tif 000013
【図１３】
0004608864.tif 000014
【図１４】
0004608864.tif 000015
【図１５】
0004608864.tif 000016
【図１６】
0004608864.tif 000017
【図１７】
0004608864.tif 000018
【図１８】
0004608864.tif 000019
【図１９】
0004608864.tif 000020
【図２０】
0004608864.tif 000021
【図２１】
0004608864.tif 000022
【図２２】
0004608864.tif 000023
【図２３】
0004608864.tif 000024
【図２４】
0004608864.tif 000025
【図２５】
0004608864.tif 000026
【図２６】
0004608864.tif 000027
【図２７】
0004608864.tif 000028
【図２８】
0004608864.tif 000029
【図２９】
0004608864.tif 000030
【図３０】
0004608864.tif 000031
【図３１】
0004608864.tif 000032
【図３２】
0004608864.tif 000033
【図３３】
0004608864.tif 000034
【図３４】
0004608864.tif 000035